(57)【特許請求の範囲】
【請求項１】
媒体上でワイヤレスメッセージを送信する方法であって、
第１のワイヤレスデバイスが、第２のワイヤレスデバイスによって送信された第１のワイヤレスメッセージの第１の部分を受信すること、ここにおいて、前記第１のワイヤレスメッセージは、前記第１の部分と第２の部分とを含み、前記第１のワイヤレスメッセージの前記第１の部分は、前記第１のワイヤレスメッセージを受信するデバイスが前記第１のワイヤレスメッセージの受信の間に送信を延期することを前記第２のワイヤレスデバイスが要求するかどうかを示す延期フィールドを備える、と、
前記第１のワイヤレスメッセージの前記第２の部分を受信することと、
前記第１のワイヤレスメッセージの受信の間に送信が延期されることを前記第２のワイヤレスデバイスが要求することを前記延期フィールドが示す場合、前記第１のワイヤレスメッセージの前記第２の部分の前記受信の間に第２のワイヤレスメッセージの送信を延期することと、
前記第１のワイヤレスデバイスが、前記第１のワイヤレスメッセージの受信の間に送信が延期されることを前記第２のワイヤレスデバイスが要求しないことを示す前記延期フィールドに応答して、前記第１のワイヤレスデバイスによって前記第１のワイヤレスメッセージの前記第２の部分の前記受信と少なくとも部分的に同時に、第３のワイヤレスデバイスに前記第２のワイヤレスメッセージを送信することと
を備え、前記第２のワイヤレスメッセージの送信の繰り延べは、前記第２のワイヤレスデバイスの基本サービスセット（ＢＳＳ）および前記第１のワイヤレスデバイスの前記基本サービスセット（ＢＳＳ）が、異なるかどうか、および前記第１のワイヤレスメッセージの送信の間に前記第２のワイヤレスデバイスが繰り延べを要求することを前記延期フィールドが示すかどうかに基づく、方法。
【請求項２】
前記第１のワイヤレスデバイスによって、アクセスポイントと関連付けることと、
前記アクセスポイントからの送信繰り延べルールを、前記第１のワイヤレスデバイスによって受信することと、
前記第１のワイヤレスデバイスが、前記繰り延べルールに基づいて、前記第１のワイヤレスメッセージの前記第２の部分の受信の間に前記第２のワイヤレスメッセージの前記送信を延期するかどうかを決定することと
をさらに備える、請求項１に記載の方法。
【請求項３】
前記第１のワイヤレスデバイスのタイプに基づいて、前記第１のワイヤレスメッセージの前記第２の部分の受信の間に前記第２のワイヤレスメッセージの前記送信を延期するかどうかを決定することをさらに備える、
請求項１に記載の方法。
【請求項４】
前記第１のワイヤレスメッセージの宛先デバイスが、前記第１のワイヤレスメッセージのための前記宛先デバイスのタイプのインジケーションに基づいてアクセスポイントか局かのいずれかであると決定することと、
前記宛先デバイスがアクセスポイントであるかまたは局であるかに基づいて前記第２のワイヤレスメッセージの前記送信を延期するかどうかを決定することと
をさらに備える、請求項１に記載の方法。
【請求項５】
前記第２のワイヤレスメッセージの送信の繰り延べは、前記第１のワイヤレスメッセージのための宛先デバイスの前記タイプ、前記第１のワイヤレスデバイスの前記タイプ、および前記第２のワイヤレスデバイスの基本サービスセット（ＢＳＳ）および前記第１のワイヤレスデバイスの基本サービスセット（ＢＳＳ）が等しいかどうかに、少なくとも部分的に、基づく、
請求項４に記載の方法。
【請求項６】
前記第１のワイヤレスデバイスがアクセスポイントであり、前記第１のワイヤレスメッセージのための前記宛先デバイスが局であり、前記基本サービスセットが異なる場合、前記第２のワイヤレスメッセージの前記送信は、延期されない、
請求項５に記載の方法。
【請求項７】
前記第１のワイヤレスデバイスがアクセスポイントであり、前記第１のワイヤレスメッセージのための前記宛先デバイスがアクセスポイントであり、前記基本サービスセットが異なる場合、前記第２のワイヤレスメッセージの前記送信は、延期されない、
請求項５に記載の方法。
【請求項８】
前記第１のワイヤレスメッセージの前記第１の部分は、前記第１のワイヤレスメッセージのプリアンブル内に送信電力のインジケーションをさらに備え、前記第２のワイヤレスメッセージの前記送信の繰り延べは、前記送信電力インジケーションにさらに基づく、
請求項１に記載の方法。
【請求項９】
前記第１のワイヤレスメッセージの受信信号強度および前記送信電力に基づいて前記第２のワイヤレスメッセージの前記送信を延期するかどうかを決定することをさらに備える、
請求項８に記載の方法。
【請求項１０】
前記第１のワイヤレスメッセージの前記送信電力および前記第１のワイヤレスメッセージの受信信号強度に基づいて前記第１のワイヤレスメッセージのパスロスを決定することと、
前記第２のワイヤレスデバイスの基本サービスセットが前記第１のワイヤレスデバイスの前記基本サービスセットと異なり、前記パスロスがしきい値より上である場合、前記第２のワイヤレスメッセージの前記送信を延期すると決定することと
をさらに備える、請求項８に記載の方法。
【請求項１１】
前記第２のワイヤレスメッセージの送信の繰り延べは、前記第１のワイヤレスデバイスと前記第３のワイヤレスデバイスとの距離にさらに基づく、
請求項１に記載の方法。
【請求項１２】
前記第２のワイヤレスメッセージの送信の前記繰り延べは、前記第１のワイヤレスデバイスがアクセスポイントであるかまたは局であるか、且つ前記第３のワイヤレスデバイスがアクセスポイントであるかまたは局であるかにさらに基づく、
請求項１に記載の方法。
【請求項１３】
前記基本サービスセットが異なり、前記第１のワイヤレスデバイスがアクセスポイントであり、前記第１のワイヤレスデバイスと前記第３のワイヤレスデバイスとの距離が距離しきい値未満である場合、繰り延べが要求されることを示す前記延期フィールドに関わらず前記送信を延期しないと決定することをさらに備える、
請求項１２に記載の方法。
【請求項１４】
前記基本サービスセットが異なり、前記第１のワイヤレスデバイスと宛先デバイスの両方がアクセスポイントである場合、繰り延べが要求されることを示す前記延期フィールドに関わらず前記第２のワイヤレスメッセージの前記送信を延期しないと決定することをさらに備える、
請求項１２に記載の方法。
【請求項１５】
前記第１のワイヤレスメッセージの受信信号強度に、少なくとも部分的に、基づいて前記第２のワイヤレスメッセージの前記送信を延期するかどうかを決定することをさらに備える、
請求項１に記載の方法。
【請求項１６】
前記第２のワイヤレスデバイスの基本サービスセットが前記第１のワイヤレスデバイスの基本サービスセットと異なり、前記第１のワイヤレスメッセージの前記受信信号強度がエネルギーしきい値未満である場合、前記第２のワイヤレスメッセージの前記送信を延期しないと決定することをさらに備える、
請求項１５に記載の方法。
【請求項１７】
前記第２のワイヤレスメッセージの前記送信を延期しないと前記決定することは、前記第１および第２のワイヤレスデバイスがアクセスポイントであることにさらに基づく、
請求項１６に記載の方法。
【請求項１８】
媒体上でワイヤレスメッセージを送信するための装置であって、
第１のワイヤレスデバイスからの第１のワイヤレスメッセージの第１の部分を受信するように構成された受信機、ここにおいて、前記第１の部分は、
受信デバイスが前記第１のワイヤレスメッセージの受信の間に送信を延期することを前記第１のワイヤレスデバイスが要求するかどうかを示す延期フィールドを備える、と、
前記第１のワイヤレスメッセージの第２の部分を受信することと、
前記延期フィールドに、少なくとも部分的に、基づいて前記第２の部分の前記受信の間に第２のワイヤレスデバイスへの第２のワイヤレスメッセージの送信を延期するかどうかを決定するように構成されたプロセッサと、
前記第１のワイヤレスメッセージの受信の間に送信が延期されることを前記第２のワイヤレスデバイスが要求することを前記延期フィールドが示す場合、前記第１のワイヤレスメッセージの前記第２の部分の前記受信の間に前記第２のワイヤレスメッセージの送信を延期するように、および前記第１のワイヤレスメッセージの受信の間に送信が延期されることを前記第２のワイヤレスデバイスが要求しないことを示す前記延期フィールドに応答して、前記装置によって前記第１のワイヤレスメッセージの前記第２の部分の前記受信と少なくとも部分的に同時に、前記第２のワイヤレスデバイスに前記第２のワイヤレスメッセージを送信するように構成された送信機と
を備え、前記プロセッサは、第１のワイヤレスデバイス基本サービスセット（ＢＳＳ）および前記装置の基本サービスセット（ＢＳＳ）が異なるかどうか、および受信デバイスが前記第１のワイヤレスメッセージの前記受信の間に送信を延期することを前記第１のワイヤレスデバイスが要求したかどうかを前記延期フィールドが示すかどうかに基づいて、前記第２のワイヤレスメッセージの前記送信を延期するかどうかを決定するように構成される、装置。
【請求項１９】
前記プロセッサは、前記第１のワイヤレスメッセージの宛先のタイプが前記第１のワイヤレスメッセージ中の宛先デバイスのタイプのインジケーションに基づいて、アクセスポイントであるかまたは局であるかを決定し、前記タイプに基づいて前記第２のワイヤレスメッセージの送信を延期するように構成される、
請求項１８に記載の装置。
【請求項２０】
前記プロセッサは、前記第１のワイヤレスメッセージのための宛先デバイスの前記タイプ、前記装置のタイプ、および前記第１のワイヤレスデバイスの基本サービスセット（ＢＳＳ）および前記装置の基本サービスセット（ＢＳＳ）が等しいかどうかに、少なくとも部分的に、基づいて前記第２のワイヤレスメッセージの前記送信を延期するかどうかを決定するように構成される、
請求項１９に記載の装置。
【請求項２１】
前記プロセッサは、前記装置がアクセスポイントであり、前記第１のワイヤレスメッセージのための前記宛先デバイスが局であり、前記基本サービスセットが異なる場合、前記第２のワイヤレスメッセージの前記送信を延期しないと決定するようにさらに構成される、
請求項２０に記載の装置。
【請求項２２】
前記プロセッサは、前記装置がアクセスポイントであり、前記第１のワイヤレスメッセージのための前記宛先デバイスがアクセスポイントであり、前記基本サービスセットが異なる場合、前記第２のワイヤレスメッセージの前記送信を延期しないと決定するようにさらに構成される、
請求項２０に記載の装置。
【請求項２３】
前記プロセッサは、前記装置と前記第２のワイヤレスデバイスとの距離に基づいて前記第２のワイヤレスメッセージの前記送信を延期するかどうかを決定するようにさらに構成される、
請求項２０に記載の装置。
【請求項２４】
前記プロセッサは、アクセスポイントと関連付けるように、および前記アクセスポイントから受信した送信繰り延べルールの少なくともインジケーションに基づいて前記第２のワイヤレスメッセージの前記送信を延期するかどうかを決定するようにさらに構成される、
請求項１８に記載の装置。
【請求項２５】
前記プロセッサは、前記装置のタイプに基づいて前記第２のワイヤレスメッセージの前記送信を延期するかどうかを決定するようにさらに構成される、
請求項１８に記載の装置。
【請求項２６】
前記第１のワイヤレスメッセージは、前記第１のワイヤレスメッセージのプリアンブル内の送信電力のインジケータをさらに備え、前記プロセッサは、前記示された送信電力に基づいて前記第２のワイヤレスメッセージの送信を延期するかどうかを決定するようにさらに構成される、
請求項１８に記載の装置。
【請求項２７】
前記プロセッサは、前記第１のワイヤレスメッセージの受信信号強度および前記送信電力に基づいて前記第２のワイヤレスメッセージの前記送信を延期するかどうかを決定するようにさらに構成される、
請求項２６に記載の装置。
【請求項２８】
前記プロセッサは、
前記第１のワイヤレスメッセージの前記送信電力および前記第１のワイヤレスメッセージの受信信号強度に基づいて前記第１のワイヤレスメッセージのパスロスを決定することと、
前記第２のワイヤレスデバイスの基本サービスセットが前記第１のワイヤレスデバイスの前記基本サービスセットと異なり、前記パスロスがしきい値未満である場合、前記第２のワイヤレスメッセージの前記送信を延期しないと決定することと
を行うようにさらに構成される、請求項２６に記載の装置。
【請求項２９】
前記プロセッサは、前記装置がアクセスポイントであるかまたは局であるか、且つ前記第２のワイヤレスデバイスがアクセスポイントであるかまたは局であるかに基づいて、前記第２のワイヤレスメッセージの前記送信を延期するかどうかを決定するように構成される、
請求項１８に記載の装置。
【請求項３０】
前記プロセッサは、前記基本サービスセットが異なり、前記装置がアクセスポイントであり、前記装置と前記第１のワイヤレスデバイスとの距離が距離しきい値未満である場合、繰り延べが要求されることを示す前記延期フィールドに関わらず前記第２のワイヤレスメッセージの前記送信を延期しないと決定するように構成される、
請求項２９に記載の装置。
【請求項３１】
前記プロセッサは、前記基本サービスセットが異なり、前記装置と宛先デバイスの両方がアクセスポイントである場合、前記第１のワイヤレスメッセージ中で、繰り延べが要求されることを示す前記延期フィールドに関わらず前記第２のワイヤレスメッセージの前記送信を延期しないように構成される、
請求項２９に記載の装置。
【請求項３２】
前記プロセッサは、前記第１のワイヤレスメッセージの受信信号強度に、少なくとも部分的に、基づいて前記第２のワイヤレスメッセージの前記送信を延期するかどうかを決定するようにさらに構成される、
請求項１８に記載の装置。
【請求項３３】
前記プロセッサは、前記第２のワイヤレスデバイスの基本サービスセットが前記第１のワイヤレスデバイスの基本サービスセットと異なり、前記第１のワイヤレスメッセージの前記受信信号強度がエネルギーしきい値未満である場合、前記第２のワイヤレスメッセージの前記送信を延期しないと決定するようにさらに構成される、
請求項３２に記載の装置。
【請求項３４】
前記プロセッサは、前記第１および第２のワイヤレスデバイスがアクセスポイントである場合、前記第２のワイヤレスメッセージの前記送信を延期しないことを決定するようにさらに構成される、
請求項３２に記載の装置。
【請求項３５】
ワイヤレスネットワーク内でメッセージを送信する方法であって、前記ワイヤレスネットワークは、キャリアセンス媒体アクセスを利用し、前記方法は、
第１のワイヤレスメッセージを、第１のワイヤレスデバイスによって生成すること、前記メッセージは、前記第１のワイヤレスメッセージの送信の間に前記第１のワイヤレスメッセージを受信するデバイスがそれら自身の送信を延期することを前記第１のワイヤレスデバイスが要求するかどうかを示す延期フィールドと、前記受信するデバイスが第１のワイヤレスデバイスメッセージに従うか否かを判断するために使用する前記第１のワイヤレスデバイスの基本サービスセット（ＢＳＳ）とを含む、と、
前記第１のワイヤレスメッセージを、前記第１のワイヤレスデバイスによって送信すること、ここにおいて、前記第１のワイヤレスメッセージは、前記第１のワイヤレスメッセージの宛先デバイスが局であるかまたはアクセスポイントであるかを示すようにさらに生成される、と
を備え、前記延期フィールドおよび前記ＢＳＳは、前記受信するデバイスによって、前記ＢＳＳが前記受信するデバイスのＢＳＳと異なるかどうか、および前記延期フィールドが前記要求することを示すかどうかに基づいて前記受信するデバイスがそれら自身の送信を延期すると決定するために使用される、方法。
【請求項３６】
ワイヤレスネットワーク内のメッセージを送信するための装置であって、前記ワイヤレスネットワークは、キャリアセンス媒体アクセスを利用し、前記装置は、
第１のワイヤレスメッセージを生成するように構成されたプロセッサ、前記メッセージは、前記第１のワイヤレスメッセージを受信するデバイスが前記第１のワイヤレスメッセージの送信の間にそれら自身の送信を延期することを前記装置が要求するかどうかを示す延期フィールドと、前記受信するデバイスが第１のワイヤレスデバイスメッセージに従うか否かを判断するために使用する前記第１のワイヤレスデバイスの基本サービスセット（ＢＳＳ）とを備える、と、
前記第１のワイヤレスメッセージを送信するように構成される送信機、ここにおいて、前記プロセッサは、宛先デバイスが局であるかまたはアクセスポイントであるかを示すために前記第１のワイヤレスメッセージを生成するようにさらに構成される、と
を備え、前記延期フィールドおよび前記ＢＳＳは、前記受信するデバイスによって、前記ＢＳＳが前記受信するデバイスのＢＳＳと異なるかどうか、および前記延期フィールドが前記延期することを要求するかどうかに基づいて前記受信するデバイスがそれら自身の送信を延期すると決定するために使用される、装置。
【発明の詳細な説明】
【技術分野】
【０００１】
[0001]本出願は、一般にワイヤレス通信に関し、より詳細には、高性能ＷｉＦｉを使用したより高いワイヤレススループットおよび同時通信のためのシステム、方法、およびデバイスに関する。
【背景技術】
【０００２】
[0002]多くの電気通信システムでは、いくつかの相互作用する空間的に分離されたデバイス間でメッセージを交換するために、通信ネットワークが使用される。ネットワークは、たとえば、メトロポリタンエリア、ローカルエリア、またはパーソナルエリアとすることができる地理的範囲によって分類され得る。そのようなネットワークは、それぞれ、ワイドエリアネットワーク（ＷＡＮ）、メトロポリタンエリアネットワーク（ＭＡＮ）、ローカルエリアネットワーク（ＬＡＮ）、ワイヤレスローカルエリアネットワーク（ＷＬＡＮ）、またはパーソナルエリアネットワーク（ＰＡＮ）として指定されるであろう。ネットワークは、様々なネットワークノードおよびデバイスを相互接続するために使用される交換／経路指定技法によっても異なり（たとえば回路交換かパケット交換かなど）、送信に利用される物理媒体のタイプによっても異なり（たとえば有線かワイヤレスかなど）、使用される通信プロトコルのセットによっても異なる（たとえばインターネットプロトコルスーツか、ＳＯＮＥＴ（同期型光ネットワーク）か、イーサネット（登録商標）かなど）。
【０００３】
[0003]ワイヤレスネットワークは、ネットワーク要素がモバイルであり、したがって動的接続性の必要を有するときに、またはネットワークアーキテクチャが固定ではなくアドホックなトポロジーで形成される場合に、しばしば好適である。ワイヤレスネットワークは、無線、マイクロ波、赤外線、光などの周波数帯域内の電磁波を使用して非誘導伝搬モードでは、無形の物理媒体を利用する。ワイヤレスネットワークは、有利なことに、固定有線ネットワークと比較して、ユーザモビリティと迅速な現場配置とを容易にする。
【０００４】
[0004]しかしながら、多数のワイヤレスネットワークが、同じ建物の中、近くの建物の中、および／または同じ屋外エリアの中に存在し得る。多数のワイヤレスネットワークの普及は、（たとえば、各ワイヤレスネットワークが、同じエリアおよび／またはスペクトル内で動作しているので）干渉、低下したスループットを生じること、および／またはいくつかのデバイスの通信を妨げ得る。したがって、ワイヤレスネットワークが過密に存在するときに通信するための改善されたシステム、方法、およびデバイスが望まれる。
【発明の概要】
【０００５】
[0005]本発明のシステム、方法、およびデバイスは各々、いくつかの態様を有し、それらのうちのどの一つの態様もそれだけで本発明の望ましい属性を担うものではない。ここで、後記の特許請求の範囲によって表される本発明の範囲を限定することなく、いくつかの特徴について簡単に説明する。この説明を考慮した後、特に「発明を実施するための形態」と題されるセクションを読んだ後で、本発明の特徴が、ワイヤレスネットワーク中のアクセスポイントと局との間の改善された通信を含む利点をどのように提供するかが理解されよう。
【０００６】
[0006]開示されるある態様は、キャリアセンス多元接続（ＣＳＭＡ）を利用する媒体上でワイヤレスメッセージを送信する方法である。開示される別の態様は、実行されると、コンピュータに、以上で参照した方法を実行させる命令を備えるコンピュータ可読記憶媒体である。
【０００７】
[0007]方法は、第１のワイヤレスデバイスを介して、第２のワイヤレスデバイスによって送信された第１のワイヤレスメッセージの少なくとも一部を受信すること、メッセージは、１つまたは複数のインジケーションを備え、インジケーションは、第１のワイヤレスメッセージのための宛先デバイスのタイプ、第２のワイヤレスデバイスの基本サービスセット（ＢＳＳ）、受信デバイスが第１のワイヤレスメッセージの送信の間送信を延期することを要求するかどうか、および第１のワイヤレスメッセージの波形の属性のうちの１つまたは複数を備える、と、インジケーションのうちの１つまたは複数に少なくとも部分的に基づいて第３のワイヤレスデバイスに第２のワイヤレスメッセージの送信を延期するかどうか決定することと、決定に基づいて第３のワイヤレスデバイスに第２のワイヤレスメッセージを送信することとを含む。いくつかの態様では、延期するかどうか決定することは、少なくとも、アクセスポイントまたは制御器から受信した送信繰り延べルールのインジケーションにさらに基づく。いくつかの態様では、延期するかどうか決定することは、第１のワイヤレスデバイスのタイプにさらに基づく。いくつかの態様では、第１のワイヤレスメッセージのための宛先デバイスのタイプのインジケーションは、宛先デバイスがアクセスポイントか局かのいずれかであることを示す。
【０００８】
[0008]いくつかの態様では、第１のワイヤレスメッセージの一部は、第１のワイヤレスメッセージの送信電力のインジケーションをさらに備え、延期するかどうか決定することは、送信電力インジケーションにさらに基づく。いくつかの態様では、第２のワイヤレスデバイスの基本サービスセットは、第１のワイヤレスデバイスの基本サービスセットと異なり、第２のワイヤレスメッセージの送信は、違いに基づいて延期されない。いくつかの態様では、第２のワイヤレスメッセージの送信を延期するかどうか決定することは、第１のワイヤレスメッセージのための宛先デバイスのタイプ、第１のワイヤレスデバイスのタイプ、および第２のワイヤレスデバイスのＢＳＳと第１のワイヤレスデバイスのＢＳＳが等しいかどうかに少なくとも部分的に基づく。いくつかの態様では、第２のワイヤレスメッセージの送信は、第１のワイヤレスデバイスがアクセスポイントであり、第１のワイヤレスメッセージのための宛先デバイスが局であり、ＢＳＳが異なる場合に延期されない。
【０００９】
[0009]いくつかの態様では、第２のワイヤレスメッセージの送信は、第１のワイヤレスデバイスがアクセスポイントであり、第１のワイヤレスメッセージのための宛先デバイスがアクセスポイントであり、ＢＳＳが異なる場合に延期されない。いくつかの態様では、決定することは、第１のワイヤレスデバイスと第３のワイヤレスデバイスとの間の距離にさらに基づく。いくつかの態様では、決定することは、第２のワイヤレスデバイスのＢＳＳおよび第１のワイヤレスデバイスのＢＳＳが異なるかどうか、且つ繰り延べ要求が第１のワイヤレスメッセージによって示されるかどうかに基づく。いくつかの態様では、決定することは、第１のワイヤレスデバイスがアクセスポイントまたは局かどうか、且つ第３のワイヤレスデバイスがアクセスポイントまたは局かどうかにさらに基づく。
【００１０】
[0010]いくつかの態様では、第２のワイヤレスメッセージの送信は、ＢＳＳが異なり、繰り延べが第１のワイヤレスメッセージ中で要求され、第１のワイヤレスデバイスがアクセスポイントであり、第１のワイヤレスデバイスと第３のワイヤレスデバイスとの距離が距離しきい値未満の場合に延期されない。いくつかの態様では、第２のワイヤレスメッセージの送信は、ＢＳＳが異なり、繰り延べが第１のワイヤレスメッセージ中で要求され、第１のワイヤレスデバイスがアクセスポイントであり、第１のワイヤレスメッセージの宛先デバイスがアクセスポイントである場合に延期されない。
【００１１】
[0011]開示される別の態様は、キャリアセンス多元接続（ＣＳＭＡ）を利用する媒体上でワイヤレスメッセージを送信するための装置である。装置は、第１のワイヤレスデバイスから第１のワイヤレスメッセージの少なくとも一部を受信するように構成された受信機、メッセージは、１つまたは複数のインジケーションを備え、インジケーションは、第１のワイヤレスメッセージの宛先デバイスのタイプ、第２のワイヤレスデバイスの基本サービスセット、受信デバイスが第１のワイヤレスメッセージの送信の間送信を延期することを要求するかどうか、および第１のワイヤレスメッセージの波形の属性のうちの１つまたは複数を備える、と、インジケーションのうちの１つまたは複数に少なくとも部分的に基づいて第２のワイヤレスデバイスに第２のワイヤレスメッセージの送信を延期するかどうか決定するように構成されたプロセッサと、決定に基づいて第２のワイヤレスデバイスに第２のワイヤレスメッセージを送信するように構成された送信機とを含む。装置のいくつかの態様では、第１のワイヤレスメッセージの宛先のタイプのインジケーションは、宛先がアクセスポイントまたは局であるかを示す。装置のいくつかの態様では、プロセッサは、アクセスポイントまたは制御器から受信した送信繰り延べルールのインジケーションに基づいて延期するかどうか決定するようにさらに構成される。装置のいくつかの態様では、プロセッサは、装置のタイプに基づいて延期するかどうか決定するようにさらに構成される。装置のいくつかの態様では、第１のワイヤレスメッセージの宛先デバイスのタイプのインジケーションは、宛先デバイスがアクセスポイントか局かのいずれかであることを示す。装置のいくつかの態様では、第１のワイヤレスメッセージは、第１のワイヤレスメッセージの送信電力のインジケータをさらに備え、プロセッサは、示された送信電力に基づいて延期するかどうか決定するようにさらに構成される。装置のいくつかの態様では、プロセッサは、第１のワイヤレスデバイスの基本サービスセットが装置の基本サービスセットと異なる場合に、第２のメッセージの送信を延期しないと決定するように構成される。
【００１２】
[0012]装置のいくつかの態様では、プロセッサは、第１のワイヤレスメッセージのための宛先デバイスのタイプ、装置のタイプ、および第２のワイヤレスデバイスのＢＳＳと第１のワイヤレスデバイスのＢＳＳが等しいかどうかに少なくとも部分的に基づいて第２のワイヤレスメッセージの送信を延期するかどうか決定するように構成される。装置のいくつかの態様では、第２のワイヤレスメッセージの送信は、装置がアクセスポイントであり、第１のワイヤレスメッセージのための宛先デバイスが局であり、ＢＳＳが異なる場合に延期されない。装置のいくつかの態様では、第２のワイヤレスメッセージの送信は、装置がアクセスポイントであり、第１のワイヤレスメッセージのための宛先デバイスがアクセスポイントであり、ＢＳＳが異なる場合に延期されない。装置のいくつかの態様では、プロセッサは、装置と第２のワイヤレスデバイスとの間の距離に基づいて延期するかどうか決定するようにさらに構成される。装置のいくつかの態様では、プロセッサは、第１のワイヤレスデバイスのＢＳＳと装置のＢＳＳが異なるかどうか、且つ繰り延べ要求が第１のワイヤレスメッセージ中に示されるかどうかに基づいて延期されるかどうか決定するよう構成される。装置のいくつかの態様では、プロセッサは、装置がアクセスポイントまたは局かどうか、且つ第２のワイヤレスデバイスがアクセスポイントまたは局かどうかに基づいて延期するかどうか決定するように構成される。装置のいくつかの態様では、プロセッサは、ＢＳＳが異なり、繰り延べが第１のワイヤレスメッセージ中に要求され、第１のワイヤレスデバイスがアクセスポイントであり、装置と第２のワイヤレスデバイスとの距離が距離しきい値未満の場合に第２のワイヤレスメッセージの送信を延期しないように構成される。装置のいくつかの態様では、プロセッサは、ＢＳＳが異なり、繰り延べが第１のワイヤレスメッセージ中に要求され、装置がアクセスポイントであり、第１のワイヤレスメッセージの宛先デバイスがアクセスポイントである場合に第２のワイヤレスメッセージの送信を延期しないように構成される。
【００１３】
[0013]示された別の態様は、キャリアセンス多元接続（ＣＳＭＡ）を利用する媒体上でワイヤレスメッセージを送信するための装置である。装置は、第１のワイヤレスデバイスによって送信された第１のワイヤレスメッセージの少なくとも一部を受信するための手段、メッセージは、１つまたは複数のインジケーションを備え、インジケーションは、第１のワイヤレスメッセージの宛先のタイプ、第１のワイヤレスデバイスの基本サービスセット、第１のワイヤレスデバイスが第１のワイヤレスメッセージの送信の間送信を延期することを要求するかどうか、および第１のワイヤレスメッセージの波形の属性のうちの１つまたは複数を備える、と、インジケーションのうちの１つまたは複数に少なくとも部分的に基づいて第２のワイヤレスデバイスに第２のワイヤレスメッセージの送信を延期するかどうか決定するための手段と、決定することに基づいて第２のワイヤレスデバイスに第２のワイヤレスメッセージを送信するための手段とを含む。装置のいくつかの態様では、第１のワイヤレスメッセージの宛先のタイプのインジケーションは、宛先がアクセスポイントまたは局であるかを示す。装置のいくつかの態様では、延期するかどうか決定するための手段は、少なくともアクセスポイントまたは制御器から受信した送信繰り延べルールのインジケーションを決定することにさらに基づくように構成される。装置のいくつかの態様では、延期するかどうか決定するための手段は、装置のタイプを決定することにさらに基づくように構成される。装置のいくつかの態様では、装置のタイプのインジケーションは、装置がアクセスポイントまたは局かどうか示す。装置のいくつかの態様では、第１のワイヤレスメッセージは、第１のワイヤレスメッセージの送信電力をさらに示し、延期するかどうか決定するための手段は、送信電力インジケーションを決定することにさらに基づくように構成される。
【００１４】
[0014]装置のいくつかの態様では、決定のための手段は、第１のワイヤレスデバイスの基本サービスセットが装置の基本サービスセットと異なる場合に、第２のメッセージの送信を延期しないように構成される。装置のいくつかの態様では、決定するための手段は、第１のワイヤレスメッセージのための宛先デバイスのタイプ、装置のタイプ、第１のワイヤレスデバイスのＢＳＳと装置のＢＳＳとが同じかどうかに少なくとも部分的に基づいて第２のワイヤレスメッセージの送信を延期するかどうか決定するように構成される。装置のいくつかの態様では、第１のワイヤレスデバイスがアクセスポイントであり、第１のワイヤレスメッセージのための宛先デバイスが局であり、ＢＳＳが異なる場合に、第２のワイヤレスメッセージの送信は、延期されない。装置のいくつかの態様では、装置がアクセスポイントであり、第１のワイヤレスデバイスがアクセスポイントであり、ＢＳＳが異なる場合に、第２のワイヤレスメッセージの送信は、延期されない。
【００１５】
[0015]装置のいくつかの態様では、決定するための手段は、装置と第２のワイヤレスデバイスとの間の距離に基づいて延期するかどうか決定するようにさらに構成される。装置のいくつかの態様では、決定するための手段は、第１のワイヤレスデバイスのＢＳＳおよび装置のＢＳＳが異なるかどうか、且つ繰り延べ要求が第１のワイヤレスメッセージ中に示されるかどうかに基づいて延期されるかどうか決定するようにさらに構成される。装置のいくつかの態様では、決定するための手段は、装置がアクセスポイントまたは局かどうか、且つ第２のワイヤレスデバイスがアクセスポイントまたは局かどうかに基づいて延期するかどうか決定するように構成される。
【００１６】
[0016]装置のいくつかの態様では、決定するための手段は、ＢＳＳが異なり、繰り延べが第１のワイヤレスメッセージ中に要求され、装置がアクセスポイントであり、装置と第２のワイヤレスデバイスとの間の距離が距離しきい値未満の場合に、第２のワイヤレスメッセージの送信を延期しないように構成される。装置のいくつかの態様では、決定するための手段は、ＢＳＳが異なり、繰り延べが第１のワイヤレスメッセージ中で要求され、装置がアクセスポイントであり、第１のワイヤレスデバイスがアクセスポイントである場合に、第２のワイヤレスメッセージの送信を延期しないように構成される。
【００１７】
[0017]開示される別の態様は、密集したワイヤレスネットワーク内でメッセージを送信する方法であり、ワイヤレスネットワークは、キャリアセンス媒体アクセスを利用する。方法は、第１のワイヤレスデバイスを介して、第１のワイヤレスメッセージを生成する、メッセージは、１つまたは複数のインジケーションを備え、インジケーションは、第１のワイヤレスメッセージのタイプ、第１のワイヤレスメッセージを受信するデバイスが第１のワイヤレスメッセージの送信の間それら自身の送信を延期することを第１のワイヤレスデバイスが要求するかどうかのうちの１つまたは複数を備える、と、第１のワイヤレスメッセージを送信することとを含む。方法のいくつかの態様では、宛先デバイスのタイプは、宛先デバイスが局またはアクセスポイントかどうかを示す。
【００１８】
[0018]開示される別の態様は、密集したワイヤレスネットワーク内でメッセージを送信するための装置であり、メッセージは、キャリアセンス媒体アクセスを利用する。装置は、第１のメッセージを生成するように構成されたプロセッサ、メッセージは、１つまたは複数のインジケーションを備え、インジケーションは、第１のワイヤレスメッセージのタイプ、第１のワイヤレスメッセージを受信するデバイスが第１のワイヤレスメッセージの送信の間それら自身の送信を延期することを装置が要求するかどうかのうちの１つまたは複数を備える、と、第１のワイヤレスメッセージを送信するように構成された送信機とを備える。装置のいくつかの態様では、宛先デバイスのタイプは、宛先デバイスが局またはアクセスポイントかどうかを示す。
【００１９】
[0019]開示された別の態様は、密集したワイヤレスネットワーク内でメッセージを送信する装置であり、ワイヤレスネットワークは、キャリアセンス媒体アクセスを利用する。装置は、第１のワイヤレスメッセージを生成するための手段、メッセージは、１つまたは複数のインジケーションを備え、インジケーションは、第１のワイヤレスメッセージのタイプ、第１のワイヤレスメッセージを受信するデバイスが第１のワイヤレスメッセージの送信の間それら自身の送信を延期することを装置が要求するかどうかのうちの１つまたは複数を備える、と、第１のワイヤレスメッセージを送信するための手段とを備える。いくつかの態様では、宛先デバイスのタイプは、宛先デバイスが局またはアクセスポイントかどうかを示す。
【００２０】
[0020]開示された別の態様は、実行されると、１つまたは複数のプロセッサに、密集したワイヤレスネットワーク内でメッセージを送信する方法を実行させる命令を備えるコンピュータ可読記憶媒体であり、ワイヤレスネットワークは、キャリアセンス媒体アクセスを利用する。方法は、第１のワイヤレスデバイスを介して、第１のワイヤレスメッセージを生成する、メッセージは、１つまたは複数のインジケーションを備え、インジケーションは、第１のワイヤレスメッセージのタイプ、第１のワイヤレスメッセージを受信するデバイスが第１のワイヤレスメッセージの送信の間それら自身の送信を延期することを第１のワイヤレスデバイスが要求するかどうかのうちの１つまたは複数を備える、と、第１のワイヤレスメッセージを送信することとを含む。方法の、いくつかの態様では、宛先デバイスのタイプは、宛先デバイスが局またはアクセスポイントかどうかを示す。
【００２１】
[0021]開示された別の態様は、密集したワイヤレスネットワーキング環境において、およびキャリアセンス多元接続（ＣＳＭＡ）を利用する媒体上でワイヤレスメッセージを送信する方法である。方法は、ワイヤレスデバイスを介して、第１のワイヤレスメッセージの少なくとも一部を受信することと、少なくとも第１のワイヤレスメッセージの受信が送信機と第２のワイヤレスメッセージの宛先との間の物理的距離、第２のワイヤレスメッセージの宛先のタイプ、およびワイヤレスデバイスのタイプのうちの１つまたは複数に少なくとも部分的に基づいて完了するまで、第２のワイヤレスメッセージの送信機による送信を延期するかどうか決定することと、決定することに基づいて第２のワイヤレスメッセージを送信することとを含む。
【００２２】
[0022]方法のいくつかの態様では、第２のワイヤレスメッセージの送信は、物理的距離がしきい値未満の場合に延期されない。方法のいくつかの態様では、第２のワイヤレスメッセージの送信は、ワイヤレスデバイスのタイプがアクセスポイントである場合に延期されない。方法のいくつかの態様では、第２のワイヤレスメッセージの送信は、ワイヤレスデバイスのタイプが局である場合に延期されない。
【００２３】
[0023]方法のいくつかの態様では、送信は、ワイヤレスデバイスのタイプが局であり、物理的距離がしきい値未満の場合に、延期されない。
【００２４】
[0024]開示される別の態様は、密集したワイヤレスネットワーキング環境において、およびキャリアセンス多元接続（ＣＳＭＡ）を利用する媒体上でワイヤレスメッセージを送信するための装置である。装置は、ワイヤレスメッセージの少なくとも一部を受信するように構成された受信機と、少なくとも第１のワイヤレスメッセージの受信が装置と第２のワイヤレスメッセージの宛先との間の物理的距離、第２のワイヤレスメッセージの宛先のタイプ、および装置のタイプのうちの１つまたは複数に少なくとも部分的に基づいて完了するまで、第２のワイヤレスメッセージの送信機による送信を延期するかどうか決定するように構成されたプロセッサと、送信機とを含み、送信機は、決定に基づいて第２のワイヤレスメッセージを送信するように構成される。
【００２５】
[0025]装置のいくつかの態様では、プロセッサは、物理的距離がしきい値未満の場合に第２のワイヤレスメッセージの送信を延期しないことを決定するようにさらに構成される。装置のいくつかの態様では、プロセッサは、装置のタイプがアクセスポイントである場合に第２のワイヤレスメッセージの送信を延期しないことを決定するようにさらに構成される。いくつかの態様では、プロセッサは、装置のタイプが局である場合に第２のワイヤレスメッセージの送信を延期しないことを決定するようにさらに構成される。いくつかの態様では、プロセッサは、装置のタイプが局であり、物理的距離がしきい値未満の場合に、第２のワイヤレスメッセージの送信を延期しないことを決定するようにさらに構成される。
【００２６】
[0026]示された別の態様は、密集したワイレスネットワーキング環境において、およびキャリアセンス多元接続（ＣＳＭＡ）を利用する媒体上でワイヤレスメッセージを送信するための装置である。装置は、ワイヤレスデバイスを介して、第１のワイヤレスメッセージの少なくとも一部を受信するための手段と、少なくとも第１のワイヤレスメッセージの受信が装置と第２のワイヤレスメッセージの宛先との間の物理的距離、第２のワイヤレスメッセージの宛先のタイプ、および装置のタイプのうちの１つまたは複数に、少なくとも部分的に、基づいて完了するまで、第２のワイヤレスメッセージの送信機による送信を延期するかどうか決定するための手段と、決定することに基づいて第２のワイヤレスメッセージを送信するための手段とを含む。
【００２７】
[0027]装置のいくつかの態様では、決定するための手段は、物理的距離がしきい値未満の場合に第２のワイヤレスメッセージの送信を延期しないと決定する。装置のいくつかの態様では、決定するための手段は、装置のタイプがアクセスポイントである場合に第２のワイヤレスメッセージの送信を延期しないと決定する。装置のいくつかの態様では、決定するための手段は、装置のタイプが局である場合に第２のワイヤレスメッセージの送信を延期しないことを決定すると決定する。装置のいくつかの態様では、決定するための手段は、装置のタイプが局であり、物理的距離がしきい値未満の場合に、第２のワイヤレスメッセージの送信を延期しないことを決定すると決定する。
【００２８】
[0028]開示される別の態様は、実行されると、１つまたは複数のプロセッサに、密集したワイヤレスネットワーキング環境において、およびキャリアセンス多元接続（ＣＳＭＡ）を利用する媒体上でワイヤレスメッセージを送信する方法を実行させる命令を備えるコンピュータ可読記憶媒体である。方法は、ワイヤレスデバイスを介して、第１のワイヤレスメッセージの少なくとも一部を受信することと、少なくとも第１のワイヤレスメッセージの受信が送信機と第２のワイヤレスメッセージの宛先との間の物理的距離、第２のワイヤレスメッセージの宛先のタイプ、およびワイヤレスデバイスのタイプのうちの１つまたは複数に少なくとも部分的に基づいて完了するまで、第２のワイヤレスメッセージの送信機による送信を延期するかどうか決定することと、決定に基づいて第２のワイヤレスメッセージを送信することとを含む。
【００２９】
[0029]方法のいくつかの態様では、第２のワイヤレスメッセージの送信は、物理的距離がしきい値未満の場合に延期されない。方法のいくつかの態様では、第２のワイヤレスメッセージの送信は、ワイヤレスデバイスのタイプがアクセスポイントである場合に延期されない。方法のいくつかの態様では、第２のワイヤレスメッセージの送信は、ワイヤレスデバイスのタイプが局である場合に延期されない。方法のいくつかの態様では、送信は、ワイヤレスデバイスのタイプが局であり、物理的距離がしきい値未満の場合に、延期されない。
【図面の簡単な説明】
【００３０】
【図１】本開示の態様が利用され得る例示的なワイヤレス通信システムを示す図。
【図２Ａ】多数のワイヤレス通信ネットワークが存在するワイヤレス通信システムを示す図。
【図２Ｂ】多数のワイヤレス通信ネットワークが存在する別のワイヤレス通信システムを示す図。
【図３】図１および図２Ｂのワイヤレス通信システム内で利用され得る周波数多重化技法を示す図。
【図４】図１および図２Ｂのワイヤレス通信システム内で利用され得る例示的なワイヤレスデバイスの機能ブロック図。
【図５Ａ】図１のワイヤレス通信システム１００と図２Ｂのワイヤレス通信システム２５０の間で用いられ得る同時送信の例を示す図。
【図５Ｂ】標準エネルギー繰り延べしきい値を利用する２つのアクセスポイントを説明する図。
【図５Ｃ】図１のワイヤレス通信システム１００と図２Ｂのワイヤレス通信システム２５０内で用いられ得る同時送信の例を示す図。
【図５Ｄ】図１のワイヤレス通信システム１００と図２Ｂのワイヤレス通信システム２５０内で用いられ得るキャリアセンス多元接続（ＣＳＭＡ）を利用する媒体上でワイヤレスメッセージを送信するプロセスのフローチャート。
【図５Ｅ】例示的なワイヤレスネットワークパケットを説明する図。
【図６Ａ】図１のワイヤレス通信システム１００と図２Ｂのワイヤレス通信システム２５０内で用いられ得るキャリアセンス多元接続（ＣＳＭＡ）を利用するめでぃさ上でワイヤレスメッセージを送信するプロセスのフローチャート。
【図６Ｂ】図１のワイヤレス通信システムと図２Ｂのワイヤレス通信システム内で用いられ得るワイヤレス通信装置の機能ブロック図。
【図６Ｃ】図１のワイヤレス通信システム１００と図２Ｂのワイヤレス通信システム２５０内で用いられ得るキャリアセンス多元接続（ＣＳＭＡ）を利用する媒体上でワイヤレスメッセージの送信を延期するべきかどうか決定するプロセスのフローチャート。
【図７Ａ】図１のワイヤレス通信システム１００と図２Ｂのワイヤレス通信システム２５０内で用いられ得るキャリアセンス多元接続（ＣＳＭＡ）を利用する媒体上でワイヤレスメッセージを送信するプロセスのフローチャート。
【図７Ｂ】図１のワイヤレス通信システムと図２Ｂのワイヤレス通信システム内で用いられ得るワイヤレス通信装置の機能ブロック図。
【図８Ａ】図１のワイヤレス通信システム１００と図２Ｂのワイヤレス通信システム２５０内で用いられ得るキャリアセンス多元接続（ＣＳＭＡ）を利用する媒体上でワイヤレスメッセージを送信するプロセスのフローチャート。
【図８Ｂ】図１のワイヤレス通信システムと図２Ｂのワイヤレス通信システム内で用いられ得るワイヤレス通信装置の機能ブロック図。
【図９Ａ】図１のワイヤレス通信システム１００と図２Ｂのワイヤレス通信システム２５０内で用いられ得るワイヤレスネットワーク上でメッセージを延期するかどうか決定するプロセスのフローチャートである。
【図９Ｂ】図１のワイヤレス通信システムと図２Ｂのワイヤレス通信システム内で用いられ得るワイヤレス通信装置の機能ブロック図。
【発明を実施するための形態】
【００３１】
[0049]添付の図面を参照して、新規のシステム、装置、および方法の様々な態様が以下でより十分に説明される。しかしながら、本開示は、多くの異なる形態で具現化されることが可能であり、本開示全体にわたって提示される任意の特定の構造または機能に限定されるものと解釈されるべきではない。むしろ、これらの態様は、本開示が周到で完全になり、本開示の範囲を当業者に十分に伝えるように与えられる。本明細書の教示に基づいて、本開示の範囲は、本発明の任意の他の態様とは無関係に実装されるにせよ、または本発明の任意の他の態様と組み合わされるにせよ、本明細書で開示する新規のシステム、装置、および方法のいかなる態様をも包含するものであることを、当業者なら諒解されるべきである。たとえば、本明細書で述べられる任意の数の態様を使用して装置が実装されてよく、または方法が実施されてもよい。加えて、本発明の範囲は、本明細書で述べられる本発明の様々な態様に加えて、またはそれ以外の、他の構造、機能性、または構造および機能性を使用して実施されるそのような装置または方法を包含することを意図する。本明細書で開示する任意の態様は、特許請求の範囲の１つまたは複数の要素により具現化されてもよいことを理解されるべきである。
【００３２】
[0050]特定の態様が本明細書で説明されるが、これらの態様の多くの変形および置換が開示の範囲に入る。好ましい態様のいくつかの利益および利点が述べられるけれども、本開示の範囲は、特定の利点、使用、または目的に限定されることを意図しない。むしろ、本開示の態様は、異なるワイヤレス技術、システム構成、ネットワーク、および伝送プロトコルに、広範囲に適用できることが意図され、これらのうちのいくつかは、図面および好ましい態様の以下の説明で、例として示される。発明を実施するための形態および図面は、限定的なものではなく、本開示を説明するものにすぎず、本開示の範囲は、添付の特許請求の範囲およびその均等物によって規定される。
【００３３】
[0051]普及しているワイヤレスネットワーク技術は、様々なタイプのワイヤレスローカルエリアネットワーク（ＷＬＡＮ）を含み得る。ＷＬＡＮは、広く使用されているネットワーキングプロトコルを利用して、近くのデバイスを一緒に相互接続するために使用され得る。本明細書で説明される様々な態様は、ワイヤレスプロトコルなどの任意の通信規格に適用され得る。
【００３４】
[0052]いくつかの態様では、ワイヤレス信号は、直交周波数分割多重（ＯＦＤＭ）、直接シーケンススペクトル拡散（ＤＳＳＳ）通信、ＯＦＤＭとＤＳＳＳ通信との組合せ、または他の方式を使用して、高効率８０２．１１プロトコルに従って伝送され得る。高効率８０２．１１プロトコルの実装は、インターネットアクセス、センサ、メータリング、スマートグリッドネットワーク、または他のワイヤレスアプリケーションのために使用され得る。有利なことに、本明細書で開示する技法を使用して高効率８０２．１１プロトコルを実装するいくつかのデバイスの態様は、同じエリア内で増加したピアツーピアサービス（たとえば、ミラキャスト（Miracast）、ＷｉＦｉ（登録商標）ダイレクトサービス（WiFi Direct（登録商標） Service）、ソーシャルＷｉＦｉ（Social WiFi（登録商標））など）を可能にすること、増加したユーザごとの最小スループット要求をサポートすること、より多くのユーザをサポートすること、改善された屋外カバレージおよびロバスト性を提供すること、ならびに／または他のワイヤレスプロトコルを実装するデバイスより少ない電力を消費することを含み得る。
【００３５】
[0053]いくつかの実施態様では、ＷＬＡＮは、このワイヤレスネットワークにアクセスする構成要素である様々なデバイスを含む。たとえば、アクセスポイント（「ＡＰ」）およびクライアント（局または「ＳＴＡ」とも呼ばれる）の２つのタイプのデバイスが存在し得る。一般に、ＡＰはＷＬＡＮのためのハブまたは基地局として機能することができ、ＳＴＡはＷＬＡＮのユーザとして機能する。たとえば、ＳＴＡはラップトップコンピュータ、携帯情報端末（ＰＤＡ）、携帯電話などであり得る。一例では、ＳＴＡは、インターネットまたは他のワイドエリアネットワークへの一般的接続性を得るためにＷｉＦｉ（たとえば、ＩＥＥＥ  ８０２．１１プロトコル）準拠ワイヤレスリンクを介してＡＰに接続する。いくつかの実施態様では、ＳＴＡは、ＡＰとしても使用され得る。
【００３６】
[0054]アクセスポイント（「ＡＰ」）はまた、ノードＢ、無線ネットワークコントローラ（「ＲＮＣ」）、ｅノードＢ、基地局コントローラ（「ＢＳＣ」）、送受信基地局（「ＢＴＳ」）、基地局（「ＢＳ」）、トランシーバ機能（「ＴＦ」）、無線ルータ、無線トランシーバ、もしくは何らかの他の用語を備え、そのようなものとして実装され、またはそのようなものとして知られ得る。
【００３７】
[0055]局「ＳＴＡ」はまた、アクセス端末（「ＡＴ」）、加入者局、加入者ユニット、移動局、遠隔局、遠隔端末、ユーザ端末、ユーザエージェント、ユーザデバイス、ユーザ機器、または何らかの他の用語を備え、そのようなものとして実装され、またはそのようなものとして知られ得る。いくつかの実装では、アクセス端末は、セルラー電話、コードレス電話、セッション開始プロトコル（ＳＩＰ）電話、ワイヤレスローカルループ（ＷＬＬ）局、携帯情報端末（ＰＤＡ）、ワイヤレス接続機能を有するハンドヘルドデバイス、またはワイヤレスモデムに接続された何らかの他の適切な処理デバイスを備え得る。したがって、本明細書で教示する１つまたは複数の態様は、電話（たとえば、セルラーフォンもしくはスマートフォン）、コンピュータ（たとえば、ラップトップ）、ポータブル通信デバイス、ヘッドセット、ポータブルコンピューティングデバイス（たとえば、携帯情報端末）、エンターテインメントデバイス（たとえば、音楽デバイスもしくはビデオデバイス、または衛星ラジオ）、ゲームデバイスもしくはゲームシステム、全地球測位システムデバイス、または、ワイヤレス媒体を介して通信するように構成された任意の他の適切なデバイスに組み込まれる場合がある。
【００３８】
[0056]上記で説明したように、本明細書で説明するデバイスのいくつかは、たとえば、高効率８０２．１１規格を実装し得る。そのようなデバイスは、ＳＴＡとして使用されるのか、ＡＰとして使用されるのか、他のデバイスとして使用されるのかにかかわらず、スマートメータリングのためにまたはスマートグリッドネットワークにおいて使用され得る。そのようなデバイスは、センサへの応用を実現し得る、またはホームオートメーションで使用され得る。デバイスは、代わりにまたは加えて、たとえば個人の健康管理のために、健康管理の状況において使用され得る。これらのデバイスは、長距離のインターネット接続性（たとえばホットスポットで使用される）を可能にする、または機械間通信を実施するための、監視にも使用され得る。
【００３９】
[0057]図１に、本開示の態様が利用され得る例示的なワイヤレス通信システム１００を示す。ワイヤレス通信システム１００は、ワイヤレス規格、たとえば高効率８０２．１１規格に従って動作することができる。ワイヤレス通信システム１００は、ＳＴＡ１０６と通信するＡＰ１０４を含み得る。
【００４０】
[0058]様々な処理および方法は、ＡＰ１０４とＳＴＡ１０６との間の、ワイヤレス通信システム１００における送信のために使用され得る。たとえば、信号は、ＯＦＤＭ／ＯＦＤＭＡ技法に従って、ＡＰ１０４とＳＴＡ１０６との間で送受信される場合がある。この場合、ワイヤレス通信システム１００は、ＯＦＤＭ／ＯＦＤＭＡシステムと呼ばれ得る。代替的に、信号は、符号分割多元接続（ＣＤＭＡ）技法に従って、ＡＰ１０４とＳＴＡ１０６との間で送受信され得る。この場合、ワイヤレス通信システム１００は、ＣＤＭＡシステムと呼ばれ得る。
【００４１】
[0059]ＡＰ１０４からＳＴＡ１０６のうちの１つまたは複数への送信を容易にする通信リンクはダウンリンク（ＤＬ）１０８と呼ばれる場合があり、ＳＴＡ１０６のうちの１つまたは複数からＡＰ１０４への送信を容易にする通信リンクはアップリンク（ＵＬ）１１０と呼ばれる場合がある。代替として、ダウンリンク１０８は順方向リンクまたは順方向チャネルと呼ばれる場合があり、アップリンク１１０は逆方向リンクまたは逆方向チャネルと呼ばれる場合がある。
【００４２】
[0060]ＡＰ１０４は、基地局として働き、基本サービスエリア（ＢＳＡ）１０２においてワイヤレス通信カバレージを提供することができる。ＡＰ１０４は、ＡＰ１０４に関連付けられ、また通信のためにＡＰ１０４を使用する、ＳＴＡ１０６とともに、基本サービスセット（ＢＳＳ）と呼ばれ得る。ワイヤレス通信システム１００は、中央ＡＰ１０４を有しないことがあり、むしろ、ＳＴＡ１０６間のピアツーピアネットワークとして機能し得ることを留意されるべきである。したがって、本明細書に記載されるＡＰ１０４の機能は、代替として、ＳＴＡ１０６のうちの１つまたは複数によって実行され得る。
【００４３】
[0061]いくつかの態様では、ＳＴＡ１０６は、ＡＰ１０４に通信を送信し、および／またはＡＰ１０４から通信を受信するために、ＡＰ１０４と関連付けることが必要とされ得る。一態様では、関連付けるための情報は、ＡＰ１０４によるブロードキャストに含まれる。そのようなブロードキャストを受信するために、ＳＴＡ１０６は、たとえば、カバレージ領域にわたって広範なカバレージ探索を実行することができる。探索はまた、たとえば、灯台方式でカバレージ領域をスイープすることによって、ＳＴＡ１０６により実行され得る。関連付けるための情報を受信した後、ＳＴＡ１０６は、関連付け調査または要求などの基準信号をＡＰ１０４に送信することができる。いくつかの態様では、ＡＰ１０４は、たとえば、インターネットまたは公衆交換電話網（ＰＳＴＮ）などのより大きいネットワークと通信するために、バックホールサービスを使用することができる。
【００４４】
[0062]一実施形態では、ＡＰ１０４は、ＡＰ高効率ワイヤレス構成要素（ＨＥＷＣ）１５４を含む。ＡＰ  ＨＥＷＣ１５４は、高効率８０２．１１プロトコルを使用してＡＰ１０４とＳＴＡ１０６との間の通信を可能にするために、本明細書で説明する動作の一部または全部を実行し得る。ＡＰ  ＨＥＷＣ１５４の機能は、図２Ｂ、図３、図４、図５、図６Ｂ、図７Ｂ、および図８Ｂに関して以下でより詳細に説明される。
【００４５】
[0063]代替的にまたは追加として、ＳＡＴ１０６は、ＳＴＡ  ＨＥＷＣ１５６を含み得る。ＳＴＡ  ＨＥＷＣ１５６は、高効率８０２．１１プロトコルを使用してＳＴＡ１０６とＡＰ１０４との間の通信を可能にするために、本明細書で説明する動作の一部または全部を実行し得る。ＳＴＡ  ＨＥＷＣ１５６の機能は、図２Ｂ、図３、図４、図５、図６Ｂ、図７Ｂおよび図８Ｂに関して以下でより詳細に説明される。
【００４６】
[0064]いくつかの状況では、ＢＳＡは、他のＢＳＡの近くに配置され得る。たとえば、図２Ａは、多数のワイヤレス通信ネットワークが存在するワイヤレス通信システム２００を示す。図２Ａに示すように、ＢＳＡ２０２Ａ、２０２Ｂおよび２０２Ｃは、互いの近くに物理的に配置され得る。ＢＳＡ２０２Ａ〜２０２Ｃは極近傍にあるにもかかわらず、ＡＰ２０４Ａ〜２０４Ｃ、および／またはＳＴＡ２０６Ａ〜２０６Ｈは、それぞれ、同じスペクトルを使用して通信し得る。したがって、ＢＳＡ２０２Ｃ内のデバイス（たとえば、ＡＰ２０４Ｃ）がデータを送信中である場合、ＢＳＡ２０２Ｃの外部のデバイス（たとえば、ＡＰ２０４Ａ〜２０４ＢまたはＳＴＡ２０６Ａ〜２０６Ｆ）は、媒体上の通信を検知し得る。
【００４７】
[0065]一般に、標準の８０２．１１プロトコル（たとえば、８０２．１１ａ、８０２．１１ｂ、８０２．１１ｇ、８０２．１１ｎなど）を使用するワイヤレスネットワークは、媒体アクセスに対するキャリアセンス多重アクセス（ＣＳＭＡ）メカニズムの下で動作する。ＣＳＭＡによれば、デバイスは、媒体を検知し、媒体がアイドル状態であると検知されるときだけ送信する。したがって、ＡＰ２０４Ａ〜２０４Ｃおよび／またはＳＴＡ２０６Ａ〜２０６ＨがＣＳＭＡメカニズムに従って動作中であり、ＢＳＡ２０２Ｃ内のデバイス（たとえば、ＡＰ２０４Ｃ）がデータを送信中である場合、ＢＳＡ２０２Ｃの外部のＡＰ２０４Ａ〜２０４Ｂおよび／またはＳＴＡ２０６Ａ〜２０６Ｆは、それらが異なるＢＳＡの部分であるとしても、媒体を介して送信しなくてよい。
【００４８】
[0066]図２Ａは、そのような状態を示す。図２Ａに示すように、ＡＰ２０４Ｃは、媒体を介して送信中である。送信は、ＡＰ２０４Ｃと同じＢＳＡ２０２Ｃ内にあるＳＴＡ２０６Ｇによって、およびＡＰ２０４Ｃと異なるＢＳＡ内にあるＳＴＡ２０６Ａによって検知される。送信は、ＳＴＡ２０６Ｇおよび／またはＢＳＡ２０２Ｃ内のＳＴＡだけにアドレス指定され得るが、それにもかかわらず、ＳＴＡ２０６Ａは、ＡＰ２０４Ｃ（および任意の他のデバイス）が媒体上でもはや送信しなくなるまで、（たとえば、ＡＰ２０４ＡへまたはＡＰ２０４Ａから）通信を送信または受信することはできない。図示しないが、（たとえば、ＡＰ２０４Ｃによる送信がより強くて、他のＳＴＡが媒体上の送信を検知し得るような場合、）ＢＳＡ２０２Ｂ内のＳＴＡ２０６Ｄ〜２０６Ｆ、および／またはＢＳＡ２０２Ａ内のＳＴＡ２０６Ｂ〜２０６Ｃにも、同じことが同様に当てはま得る。
【００４９】
[0067]次いで、ＢＳＡの外部のいくつかのＡＰまたはＳＴＡは、ＢＳＡ内のＡＰまたはＳＴＡによって行われる送信と干渉することなくデータを送信することができるので、ＣＳＭＡメカニズムの使用は非効率を生じる。アクティブなワイヤレスデバイスの数は増大し続けているので、この非効率は、ネットワークの待ち時間およびスループットに大きく影響を及ぼし始めている。たとえば、重大なネットワーク待ち時間問題は、各住戸がアクセスポイントと関連する局とを含み得る集合住宅の中で現れ得る。実際、入居者がワイヤレスルータ、ワイヤレスメディアセンター機能を有するビデオゲームコンソール、ワイヤレスメディアセンター機能を有するテレビジョン、パーソナルホットスポットのように作動可能な携帯電話などを所有し得るので、各住戸は多数のアクセスポイントを含むことがある。次いで、ＣＳＭＡメカニズムの非効率を是正することは、待ち時間およびスループット問題ならびに全体的なユーザの不満を解消するために不可欠であり得る。
【００５０】
[0068]そのような待ち時間およびスループット問題は、居住地域に限定されるものではない。たとえば、多数のアクセスポイントが、空港、地下鉄の駅、および／または人が密集した他の公共空間に配置され得る。最近、ＷｉＦｉアクセスが、これらの公共空間において有料で提供され得る。ＣＳＭＡメカニズムによって生じた非効率が是正されない場合、料金および低いサービス品質がいかなる利益も上回り始めるにつれて、ワイヤレスネットワークの事業者は顧客を失う可能性がある。
【００５１】
[0069]したがって、本明細書で説明する高効率８０２．１１プロトコルは、これらの非効率を最小化してネットワークスループットを増大させる修正されたメカニズムの下でデバイスが動作することを可能にし得る。そのようなメカニズムは、図２Ｂ、図３および図４に関して以下で説明される。高効率８０２．１１プロトコルの追加の態様が、図５〜図８Ｂに関して以下で説明される。
【００５２】
[0070]図２Ｂは、多数のワイヤレス通信ネットワークが存在するワイヤレス通信システム２５０を示す。図２Ａのワイヤレス通信システム２００とは異なり、ワイヤレス通信システム２５０は、本明細書で説明する高効率８０２．１１規格に従って動作し得る。ワイヤレス通信システム２５０は、ＡＰ２５４Ａと、ＡＰ２５４Ｂと、ＡＰ２５４Ｃとを含み得る。ＡＰ２５４ＡはＳＴＡ２５６Ａ〜２５６Ｃと通信し、ＡＰ２５４ＢはＳＴＡ２５６Ｄ〜２５６Ｆと通信し、ＡＰ２５４ＣはＳＴＡ２５６Ｇ〜２５６Ｈと通信することができる。
【００５３】
[0071]多様なプロセスおよび方法が、ＡＰ２５４Ａ〜２５４ＣとＳＴＡ２５６Ａ〜２５６Ｈとの間のワイヤレス通信システム２５０における送信に使用され得る。たとえば、信号は、ＯＦＤＭ／ＯＦＤＭＡ技法またはＣＤＭＡ技法に従ってＡＰ２５４Ａ〜２５４ＣとＳＴＡ２５６Ａ〜２５６Ｈとの間で送受信され得る。
【００５４】
[0072]ＡＰ２５４Ａは基地局として働き、ＢＳＡ２５２Ａにおいてワイヤレス通信カバレージを提供することができる。ＡＰ２５４Ｂは基地局として働き、ＢＳＡ２５２Ｂにおいてワイヤレス通信カバレージを提供することができる。ＡＰ２５４Ｃは基地局として働き、ＢＳＡ２５２Ｃにおいてワイヤレス通信カバレージを提供することができる。ＢＳＡ２５２Ａ、２５２Ｂおよび／または２５２Ｃの各々は、中央のＡＰ２５４Ａ、２５４Ｂまたは２５４Ｃを有するのではなく、むしろＳＴＡ２５６Ａ〜２５６Ｈのうちの１つまたは複数の間のピアツーピア通信を可能にし得ることに留意されるべきである。したがって、本明細書で説明するＡＰ２５４Ａ〜２５４Ｃの機能は、代替として、ＳＴＡ２５６Ａ〜２５６Ｈのうちの１つまたは複数によって実行され得る。
【００５５】
[0073]一実施形態では、ＡＰ２５４Ａ〜２５４Ｃおよび／またはＳＴＡ２５６Ａ〜２５６Ｈは、高効率ワイヤレス構成要素を含む。本明細書で説明するように、高効率ワイヤレス構成要素は、高効率８０２．１１プロトコルを使用してＡＰとＳＴＡとの間の通信を可能にし得る。詳細には、高効率ワイヤレス構成要素は、ＡＰ２５４Ａ〜２５４Ｃおよび／またはＳＴＡ２５６Ａ〜２５６Ｈが、ＣＳＭＡメカニズムの非効率を最小化する修正されたメカニズムを使用することを可能にし得る（たとえば、干渉が発生しない状況において媒体を介する同時通信を可能にする）。高効率ワイヤレス構成要素は、図４に関して以下でより詳細に説明される。
【００５６】
[0074]図２Ｂに示すように、ＢＳＡ２５２Ａ〜２５２Ｃは、互いの近くに物理的に配置される。たとえば、ＡＰ２５４ＡおよびＳＴＡ２５６Ｂが互いに通信中であるとき、通信は、ＢＳＡ２５２Ｂ〜２５２Ｃ内の他のデバイスによって検知され得る。しかしながら、通信は、ＳＴＡ２５６Ｆおよび／またはＳＴＡ２５６Ｇなど、いくつかのデバイスとだけ干渉する可能性がある。ＣＳＭＡの下では、ＡＰ２５４ＢがＳＴＡ２５６Ｅと通信することは、たとえそのような通信がＡＰ２５４ＡとＳＴＡ２５６Ｂとの間の通信と干渉しないとしても、許可されないことになる。したがって、高効率８０２．１１プロトコルは、同時に通信可能なデバイスと同時に通信不可能なデバイスとの間を区別する、修正されたメカニズムの下で動作する。デバイスのそのような分類は、ＡＰ２５４Ａ〜２５４Ｃおよび／またはＳＴＡ２５６Ａ〜２５６Ｈにおける高効率ワイヤレス構成要素によって実行され得る。
【００５７】
[0075]一実施形態では、デバイスが他のデバイスと同時に通信し得るかどうかの決定は、デバイスのロケーションに基づく。たとえば、ＢＳＡの縁部近くに位置するＳＴＡは、他のデバイスと同時に通信し得ないような状態または条件にあ得る。図２Ｂに示すように、ＳＴＡ２０６Ａ、２０６Ｆおよび２０６Ｇは、それらが他のデバイスと同時に通信し得ない状態または条件にあるデバイスであ得る。同様に、ＢＳＡの中心付近に位置するＳＴＡは、他のデバイスと通信し得るような状態または条件にあり得る。図２に示すように、ＳＴＡ２０６Ｂ、２０６Ｃ、２０６Ｄ、２０６Ｅおよび２０６Ｈは、それらが他のデバイスと同時に通信し得る状態または条件にあるデバイスであり得る。デバイスの分類は恒久不変でないことに留意されたい。デバイスは、それらが同時に通信し得るような状態または条件にあることと、それらが同時に通信し得ないような状態または条件にあることとの間を移行し得る（たとえば、デバイスは、動いているとき、新しいＡＰと関連付けられたとき、関連を解かれたときなどに、状態または条件を変え得る）。
【００５８】
[0076]さらに、デバイスは、それらが、他のデバイスと同時に通信するための状態または条件にあるデバイスであるか否かに基づいて、異なる挙動をするように構成され得る。たとえば、同時に通信し得るような状態または条件にあるデバイスは、同じスペクトル内で同時に通信し得る。しかしながら、同時に通信し得ないような状態または条件にあるデバイスは、媒体を介して通信するために、空間多重化または周波数領域多重化など、いくつかの技法を利用し得る。デバイスの挙動の制御は、ＡＰ２５４Ａ〜２５４Ｃおよび／またはＳＴＡ２５６Ａ〜２５６Ｈにおいて高効率ワイヤレス構成要素によって実行され得る。
【００５９】
[0077]一実施形態では、同時に通信し得ないような状態または条件にあるデバイスは、媒体を介して通信するために空間多重化技法を使用する。
【００６０】
[0078]他の実施形態では、電力および／または他の情報は、別のデバイスによって送信されたパケットのプリアンブル内に埋め込まれ得る。同時に通信し得ないような状態または条件にあるデバイスは、パケットが媒体上で検知されるとプリアンブルを分析し、送信するかどうかをルールのセットに基づいて決定することができる。
【００６１】
[0079]別の実施形態では、同時に通信し得ないような状態または条件にあるデバイスは、媒体を介して通信するために周波数領域多重化技法を使用する。図３は、図１のワイヤレス通信システム１００および図２Ｂのワイヤレス通信システム２５０内で利用され得る周波数多重化技法を示す。図３に示すように、ＡＰ３０４Ａ、３０４Ｂ、３０４Ｃおよび３０４Ｄは、ワイヤレス通信システム３００内に存在し得る。ＡＰ３０４Ａ、３０４Ｂ、３０４Ｃおよび３０４Ｄの各々は、異なるＢＳＡと関連付けられてよく、本明細書で説明する高効率ワイヤレス構成要素を含む。
【００６２】
[0080]一例として、通信媒体の帯域幅は８０ＭＨｚであり得る。標準の８０２．１１プロトコルの下で、ＡＰ３０４Ａ、３０４Ｂ、３０４Ｃおよび３０４Ｄの各々ならびに各それぞれのＡＰと関連付けられＳＴＡは、全帯域幅を使用して通信することを試行し、それはスループットを低下させ得る。しかしながら、周波数領域多重化を使用して高効率８０２．１１プロトコルの下では、帯域幅は、図３に示すように、４つの２０ＭＨｚセグメント３０８、３１０、３１２および３１４（たとえば、チャネル）に分割され得る。ＡＰ３０４Ａはセグメント３０８と関連付けられ得、ＡＰ３０４Ｂはセグメント３１０と関連付けられ得、ＡＰ３０４Ｃはセグメント３１２と関連付けられ得、ＡＰ３０４Ｄはセグメント３１４と関連付けられ得る。
【００６３】
[0081]一実施形態では、ＡＰ３０４Ａ〜３０４Ｄ、および他のデバイスと同時に通信し得るような状態または条件にあるＳＴＡ（たとえば、ＢＳＡの中心付近のＳＴＡ）が互いに通信中であるとき、次いでＡＰ３０４Ａ〜３０４Ｄの各々およびこれらのＳＴＡの各々は、８０ＭＨｚの媒体の一部または全部を使用して通信し得る。しかしながら、ＡＰ３０４Ａ〜３０４Ｄ、および他のデバイスと同時に通信し得ないような状態または条件にあるＳＴＡ（たとえば、ＢＳＡの縁部付近のＳＴＡ）が互いに通信中であるとき、次いでＡＰ３０４ＡおよびそのＳＴＡは２０ＭＨｚセグメント３０８を使用して通信し、ＡＰ３０４ＢおよびそのＳＴＡは２０ＭＨｚセグメント３１０を使用して通信し、ＡＰ３０４ＣおよびそのＳＴＡは２０ＭＨｚセグメント３１２を使用して通信し、ＡＰ３０４ＤおよびそのＳＴＡは２０ＭＨｚセグメント３１４を使用して通信する。セグメント３０８、３１０、３１２および３１４は、通信媒体の異なる部分であり、第１のセグメントを使用する第１の送信は、第２のセグメントを使用する第２の送信と干渉しないことになる。
【００６４】
[0082]したがって、高効率ワイヤレス構成要素を含むＡＰおよび／またはＳＴＡは、それらが干渉することなく他のＡＰおよびＳＴＡと同時に通信することができるような直交周波数帯域上に置かれることができる。これは、それらが他のデバイスと同時に通信することができないような初期状態または条件にあるそれらのデバイスのためでさえ生じ得る。したがって、ワイヤレス通信システム３００のスループットは、増大され得る。集合住宅または人が密集した公共空間の場合、高効率ワイヤレス構成要素を使用するＡＰおよび／またはＳＴＡは、アクティブなワイヤレスデバイスの数が増大するときでも、低減された待ち時間と増大したネットワークスループットとを体験し得、それによりユーザエクスペリエンスを改善する。
【００６５】
[0083]図４は、図１、図２Ｂおよび図３のワイヤレス通信システム１００、２５０および／または３００内で利用され得るワイヤレスデバイス４０２の例示的な機能ブロック図を示す。ワイヤレスデバイス４０２は、本明細書で説明する様々な方法を実装するように構成され得るデバイスの一例である。たとえば、ワイヤレスデバイス４０２は、ＡＰ１０４、ＳＴＡ１０６のうちの１つ、ＡＰ２５４のうちの１つ、ＳＴＡ２５６のうちの１つ、および／またはＡＰ３０４のうちの１つを備え得る。
【００６６】
[0084]ワイヤレスデバイス４０２は、ワイヤレスデバイス４０２の動作を制御するプロセッサ４０４を含み得る。プロセッサ４０４は、中央処理装置（ＣＰＵ）と呼ばれることもある。読取り専用メモリ（ＲＯＭ）とランダムアクセスメモリ（ＲＡＭ）の両方を含み得るメモリ４０６は、命令とデータとをプロセッサ４０４に提供することができる。メモリ４０６の一部はまた、不揮発性ランダムアクセスメモリ（ＮＶＲＡＭ）を含み得る。プロセッサ４０４は、通常、メモリ４０６内に記憶されたプログラム命令に基づいて、論理演算と算術演算とを実行する。メモリ４０６内の命令は、本明細書に記載される方法を実装するように実行可能であり得る。
【００６７】
[0085]プロセッサ４０４は、１つまたは複数のプロセッサによって実装された処理システムを備えてよく、またはその構成要素であってよい。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、状態機械、ゲート論理、個別のハードウェア構成要素、専用のハードウェア有限状態機械、または、情報の計算または他の操作を実行することができる任意の他の適切なエンティティの任意の組合せによって実装され得る。
【００６８】
[0086]処理システムはまた、ソフトウェアを記憶するための機械可読媒体を含み得る。ソフトウェアは、ソフトウェア、ファームウェア、ミドルウェア、マイクロコード、ハードウェア記述言語、またはその他と称されようと、任意のタイプの命令を意味するものと広義に解釈されるべきである。命令は、コード（たとえば、ソースコード形式、バイナリコード形式、実行可能コード形式、または任意の他の適切なコードの形式にある）を含み得る。命令は、１つまたは複数のプロセッサによって実行されたとき、本明細書で説明する様々な機能を処理システムに実行させる。
【００６９】
[0087]ワイヤレスデバイス４０２はまた、ワイヤレスデバイス４０２と遠隔ロケーションとの間のデータの送受信を可能にするために送信機４１０および／または受信機４１２を含み得る、ハウジング４０８を含み得る。送信機４１０および受信機４１２は、トランシーバ４１４へと組み合わされ得る。アンテナ４１６は、ハウジング４０８に取り付けられ、トランシーバ４１４に電気的に結合され得る。ワイヤレスデバイス４０２は、多数の送信機、多数の受信機、多数のトランシーバ、および／または多数のアンテナも含み得る（図示せず）。
【００７０】
[0088]ワイヤレスデバイス４０２は、トランシーバ４１４によって受信された信号のレベルを検出し、定量化するために使用され得る、信号検出器４１８も含み得る。信号検出器４１８は、総エネルギー、シンボルごとのサブキャリア当たりのエネルギー、電力スペクトル密度、および他の信号などの信号を検出し得る。ワイヤレスデバイス４０２は、信号の処理に使用されるデジタル信号プロセッサ（ＤＳＰ）４２０も含み得る。ＤＳＰ４２０は、送信のためのパケットを生成するように構成され得る。いくつかの態様では、パケットは物理レイヤデータユニット（ＰＰＤＵ）を備え得る。
【００７１】
[0089]いくつかの態様では、ワイヤレスデバイス４０２はさらに、ユーザインターフェース４２２を備え得る。ユーザインターフェース４２２は、キーパッド、マイクロフォン、スピーカ、および／またはディスプレイを備える場合がある。ユーザインターフェース４２２は、ワイヤレスデバイス４０２のユーザに情報を伝えるおよび／またはユーザからの入力を受信する、任意の要素または構成要素を含み得る。
【００７２】
[0090]いくつかの態様では、ワイヤレスデバイス４０２は、高効率ワイヤレス構成要素４２４をさらに備え得る。高効率ワイヤレス構成要素４２４は、パラメータ分析器ユニット４２８と送信制御ユニット４３０とを含み得る。本明細書で説明するように、高効率ワイヤレス構成要素４２４は、ＡＰおよび／またはＳＴＡが、ＣＳＭＡメカニズムの非効率を最小化する修正されたメカニズムを使用することを可能にし得る（たとえば、干渉が発生しない状況において媒体を介する同時通信を可能にする）。
【００７３】
[0091]修正されたメカニズムは、パラメータ分析器ユニット４２８および送信制御機構ユニット４３０によって実装され得る。実施形態では、パラメータ分析器ユニット４２８は、ワイヤレス媒体上で受信されたメッセージに関連したパラメータを決定し、さらにワイヤレス媒体上でデバイスによって送信するために待ち行列に入れられ準備のできたメッセージに関連したパラメータを決定し得る。パラメータ分析器は、パラメータに基づいて、デバイス４０２による送信のための準備のできたメッセージがワイヤレス媒体上で受信されることになる別のメッセージと少なくとも部分的に同時に送信されるべきかどうかを決定し得る。実施形態では、送信制御機構ユニット４３０は、ワイヤレスデバイス上でどのようにデバイス４０２が送信するかを制御する。例えば、送信制御機構ユニット４３０は、そうでなければ送信のために準備のできたメッセージの送信を延期するかどうか決定し得る。送信制御機構ユニット４３０は、パラメータ分析器ユニット４２８によってなされた決定に基づいてこの決定を行い得る。
【００７４】
[0092]ワイヤレスデバイス４０２の様々な構成要素は、バスシステム４２６によって一緒に結合され得る。バスシステム４２６は、たとえば、データバス、ならびに、データバスに加えて、電力バスと、制御信号バスと、ステータス信号バスとを含み得る。ワイヤレスデバイス４０２の構成要素は、何らかの他のメカニズムを使用して、一緒に結合され得るか、または互いに対する入力を受け入れ、または提供し得ることを当業者は諒解されよう。
【００７５】
[0093]図４には、いくつかの別個の構成要素が示されているが、構成要素のうちの１つまたは複数が組み合わされ得るかまたは共通に実装され得ることを当業者は認識されよう。たとえば、プロセッサ４０４は、プロセッサ４０４に関して上記で説明した機能を実施するためだけでなく、信号検出器４１８および／またはＤＳＰ４２０に関連して上記で説明した機能を実施するためにも、使用され得る。さらに、図４に示す構成要素の各々は、複数の別個の要素を使用して実装され得る。
【００７６】
[0094]ワイヤレスデバイス４０２は、ＡＰ１０４、ＳＴＡ１０６、ＡＰ２５４、ＳＴＡ２５６および／またはＡＰ３０４を備え、通信を送信および／または受信するために使用することができる。すなわち、ＡＰ１０４、ＳＴＡ１０６、ＡＰ２５４、ＳＴＡ２５６またはＡＰ３０４のいずれかが、送信機または受信機のデバイスとして働くことができる。いくつかの態様は、信号検出器４１８が、送信機または受信機の存在を検出するために、メモリ４０６およびプロセッサ４０４上で動作しているソフトウェアによって使用されることを企図する。
【００７７】
[0095]別の実施形態では、デバイスが同時に通信することができるような状態または条件にあるデバイスは、第２のワイヤレスメッセージの送信の間に第１のワイヤレスメッセージを、異なるワイヤレスデバイスによって送信される第２のワイヤレスメッセージと同時に送信し得る。いくつかの態様では、条件付きの送信は、第２のワイヤレスメッセージに基づき得る。他の態様では、条件付きの送信は、第１のメッセージに基づき得る。さらに別の態様では、条件付きの送信は、第１および第２のメッセージの属性またはインジケーションに基づき得る。さらに別の態様では、条件付きの送信は、別のワイヤレスデバイスによって提供される繰り延べ規則にさらに基づき得る。例えば、いくつかの態様では、アクセスポイントは、何の条件の下でそれらが送信を延期すべきかおよび／または送信を延期しないべきかを１つまたは複数の局に示し得る。
【００７８】
[0096]図５Ａは、図１の通信システム１００および図２Ｂの通信システム２５０内に用いられ得る同時送信の例を示す。図５Ａ中に示される同時通信は、複数のワイヤレスデバイスによって共有されるワイヤレス媒体の改善された再利用のために提供され得る。このエンハンスト再利用または同時作用は、ワイヤレス媒体の処理能力の合計または平均スループットの増加をもたらし得る。
【００７９】
[0097]図５Ａは、３つのアクセスポイント５０４Ａ−Ｃを説明する。各アクセスポイント５０４Ａ−Ｃは、対応する基本サービスセット（ＢＳＳ）５０２Ａ−Ｃを管理する。各アクセスポイント５０４Ａ−Ｃはまた、複数の局５０６Ａ−Ｈと通信している。例えば、アクセスポイント５０４Ａは、局５０６Ａ−Ｃと通信している間、アクセスポイント５０４Ｃは、局５０６Ｇ−Ｈと通信している。図５Ａは、縮尺通りに厳密描かれるとみなされるべきではないが、説明されるアクセスポイント５０４Ａ−Ｃと局Ａ−Ｈとの間の図内の距離は、典型的なものであるとみなされるべきである。例えば、以下の議論の目的のために、局５０６Ｅは、例えば、５０６Ｆよりアクセスポイントに物理的に近い。同様に、局５０６Ａは、局５０６Ｂよりアクセスポイント５０６Ｃに物理的に近い。
【００８０】
[0098]いくつかの態様では、他の局、それに関連するアクセスポイント、および／または他のアクセスポイントとの相対的な局の物理的ロケーションは、多かれ少なかれ干渉の影響を受ける局になり得る。例えば、局５０６Ｄ−Ｅがそれらのアクセスポイント５０４Ｂに比較的近くに位置付けられ、アクセスポイント５０４Ａおよび５０４Ｃと比較的離れると同様に他のＢＳＳ５０２Ａおよび５０２Ｃの両方から比較的遠くに位置付けられ、これらのＢＳＳ内で通信する局５０６Ａ−Ｃおよび５０６Ｇ−Ｈから比較的遠くに位置付けられるので、局５０６Ｄ−Ｅは、それらのＢＳＳのいずれかが通信するときにより少なく干渉の影響を受け得る。同様に、ＳＴＡ５０６Ｈは、ＢＳＳ５０２Ａまたは５０２Ｂのいずれかによって生成された送信からより少なく干渉の影響を受け得る。
【００８１】
[0099]開示される実施形態のいくつかでは、アクセスポイント５０４ＡがＳＴＡ５０６Ｂと通信する間、８０２１１ａｃのようないくつかのワイヤレスネットワーク基準がＳＴＡ５０６Ｅと通信することを妨げる一方、アクセスポイント５０４Ａは、ＡＰ５０４Ｂの局とのＡＰ５０４Ｂの通信と同時にその局と通信し得る。これらのデバイスが干渉の影響を受けにくいので、例え従来のキャリアセンス媒体アクセスメカニズムがそのような同時送信を妨げようとも、デバイスのうちのいくつかは他のデバイスと同時に通信し得る。いくつかの態様では、局はまた、他の局と同時に通信するように構成され得る。例えば、ＳＴＡ５０６Ｈは、局５０６Ｄまたは５０６Ｅと通信するアクセスポイント５０４Ｂと同時にアクセスポイント５０４Ｃと通信し得る。同時に通信するデバイスのうちの１つまたは複数の能力を増加させることによって、共有されるワイヤレス通信媒体のより高いレベルの再利用が達成され得る。これは、複数のデバイスにわたるワイヤレス媒体の増加したスループットをもたらし得る。
【００８２】
[00100]ＢＳＳ５０２Ａ−Ｃ内では、いくつかの局は、より多くの干渉の影響を受け得る。例えば、局に関連するアクセスポイントから比較的より離れて位置づけられる局および／または他のＢＳＳと通信するワイヤレスデバイスに比較的近い局は、より多くの干渉の影響を受け得る。
【００８３】
[00101]いくつかの態様では、ワイヤレス媒体の増加した使用を提供するために、アクセスポイント５０４Ａ−Ｃおよび／または局５０６Ａ−Ｈは、送信が干渉の影響を受けるかどうか送信内に示し得る。１つの態様では、送信機は、ワイヤレスメッセージが完了するまで、ワイヤレスメッセージを受信するワイヤレスデバイスがそれ自身の送信を延期することをワイヤレスメッセージ中に明示的に要求し得る。例えば、アクセスポイント５０４ＢがＳＴＡ５０６Ｆにメッセージを送信する場合、それは、送信されたメッセージ中のインジケーションを介して、他のデバイスがそれら自身の送信を延期する一方、ＳＴＡ５０６Ｆへのメッセージは、送信されることを要求し得る。これは、結果としてＳＴＡ５０６Ｆによって受信されるときにプアな信号対雑音比につながる、相当な距離にわたって送信され得る、ＡＰ５０４Ｂの送信をＳＴＡ５０６Ｆが受信するのを妨げるのをＳＴＡ５０６Ｄ−ＥおよびまたＳＴＡ５０６Ａからの干渉送信が妨げ得る。対照的に、いくつかの態様では、ＡＰ５０４ＢがＳＴＡ５０６Ｄにメッセージを送信する場合、ＡＰ５０４Ｂは、メッセージの送信が完了するまでそれら自身の送信を延期することを要求し得ない送信の繰り延べは、ＳＴＡ５０６ＤとＡＰ５０４Ｂとの間の高品質信号パスのために、ＳＴＡ５０６ＤへのＡＰ５０４Ｂの送信が他の送信を「溶かす（burn through）」ことがよりできそうである場合に、ＡＰ５０４Ｂによって要求され得ない。この強い信号パスは、ＡＰ５０４ＢとＳＴＡ５０６Ｄとの間の比較的に近接近の結果になり得る、またはＡＰ５０４Ｂの比較的に高送信電力、あるいはＡＰ５０４ＢとＳＴＡ５０６Ｄとの間の信号パスに沿って潜在的案干渉ソースの比較的不在のため、あるいは潜在的な他の理由のためである。
【００８４】
[00102]いくつかの態様では、第１のワイヤレスデバイスは、特定の第１のメッセージがアドレス指定される、ワイヤレスデバイスのタイプに基づいて第２のワイヤレスデバイスによる送信の間、それ自身の送信を延期しうる。これらの態様は、デバイスのあるタイプが第１のメッセージの受信の間の干渉により寛容であり得る仮定の下で動作し得る。代替として、いくつかのネットワークでは、デバイスのあるタイプは、第１のワイヤレスデバイスによる送信が第３のワイヤレスデバイスによる第１のメッセージの受信と潜在的に干渉することになるような、ワイヤレスデバイスの近接内にいそうにないことがあり得る。
【００８５】
[00103]例えば、いくつかの態様では、第１のメッセージの宛先デバイスが局である場合、メッセージを受信する第１のワイヤレスデバイスは、第１のメッセージが受信されている間、それ自身の送信を延期しうる。対照的に、これらの態様のうちのいくつでは、第１のメッセージの宛先デバイスがアクセスポイントである場合、第１のワイヤレスデバイスは、第１のメッセージが送信されている間、第２のメッセージの送信を開始し得る。これらの態様は、アクセスポイントが一般に、メッセージの受信の間に局より高いレベルの干渉を許容することができるという仮定の下で動作し得る。これは、いくつかのアクセスポイントが最もコストに敏感であり得る、いくつかの局より洗練されそしてより高価な受信機技術で提供され得るような、いくつかの態様における場合であり得る。
【００８６】
[00104]いくつかの他の態様では、第１の受信メッセージの宛先がアクセスポイントである場合、ワイヤレスデバイスは、それ自身の送信を延期し得る。これらの態様では、受信されているメッセージの宛先が局である場合、ワイヤレスデバイスは、受信メッセージと同時にそれ自身のメッセージを送信し得る。これらの態様は、アクセスポイントが一般に、局より高い送信電力を有するので、アクセスポイントによって送信された局へのメッセージがそれらの比較的より高い信号対雑音比に起因して、他の送信をより「溶かせ」そうであり得るという仮定の下で動作し得る。しかしながら、これらの態様は、局からアクセスポイントに送信されたメッセージが、比較的より低い電力レベルで送信され、したがって、同時送信からの干渉により影響を受けると仮定し得る。
【００８７】
[00105]いくつかの態様では、第１のメッセージの発信ＢＳＳは、送信を延期するかどうか決定するときに考慮され得る。いくつかの態様では、受信デバイスが関連付けられるのと同じＢＳＳから第１のメッセージが生じる場合、受信デバイスは、第１のメッセージの送信が完了するまで第２のメッセージの送信を延期し得る。同様に、受信デバイスが関連付けられるＢＳＳと異なるＢＳＳから第１のメッセージが生じる場合、第２のメッセージの送信は、第１のメッセージの送信の間に延期され得ない。
【００８８】
[00106]例えば、ＳＴＡ５０６ＦがＢＳＳ５０２Ａからのメッセージの少なくとも一部を受信する場合、いくつかの態様では、それは、アクセスポイント５０４Ｂへのそれ自身の送信を延期し得ない。ＳＴＡ５０６Ｆが、ＳＴＡ５０６Ｆと同じＢＳＳ内にある、ＳＴＡ５０６Ｄからのメッセージの少なくとも一部を受信する場合、ＳＴＡ５０６Ｆは、ＳＴＡ５０６Ｄからの送信が完了するまでそれ自身の送信を延期すると決定し得る。これは、ＳＴＡ５０６Ｄの送信を成功裏に受信することができることを保証する一方、例えば、それでもなおＳＴＡ５０６ＦとＳＴＡ５０６Ｃとが同時に送信することを可能にし得る。
【００８９】
[00107]いくつかの態様では、ワイヤレスデバイスがメッセージの送信を延期するかどうかは、メッセージ自体の属性に基づき得る。例えば、いくつかの態様では、ソースまたは送信デバイスの比較的近接近内の宛先デバイスに送信されたメッセージは、送信デバイスよる、別のメッセージの受信に基づいて延期され得ない。
【００９０】
[00108]いくつかの態様では、ワイヤレスデバイスがメッセージの送信を延期するかどうかは、ワイヤレスデバイスのタイプに基づき得る。これらの態様は、送信が有害な干渉をもたらしそうか否かの可能性を送信デバイスのタイプが示すという仮定の下で動作し得る。例えば、いくつかの態様では、アクセスポイントは、それ自身の送信を延期し得ない。いくつかの態様では、アクセスポイントの繰り延べストラテジーは、その関連した局繰り延べストラテジーと異なり得る。例えば、アクセスポイントは、それ自身の送信を決して延期しない一方、アクセスポイントに関連付けられた局が、アクセスポイントによって送信されたメッセージの一部の受信の際にそれ自身の送信を延期し得るが、（異なるＢＳＳ内の）異なるアクセスポイントによって送信されたメッセージの一部を受信する場合、それ自身の送信を延期し得ない。
【００９１】
[00109]図５Ｂは、標準のエネルギー繰り延べしきい値を利用する２つのアクセスポイントを説明する。ＡＰ５０４ＦがＢＳＳ５０２ｅを制御している間、ＡＰ５０４Ｅは、ＢＳＳ  ５０２ｄを制御している。アクセスポイント５０４Ｅ−Ｆは、８０２．１１ａｃ標準によって定義されるしきい値に実質的にしたがってエネルギー繰り延べしきい値を実装し得る。ＡＰ５０４ＦがＢＳＳ５０２ｅを制御している間、ＡＰ５０４Ｅは、ＢＳＳ５０２ｄを制御している。
【００９２】
[00110]いくつかの実装では、エネルギーの大きさが標準エネルギー繰り延べしきい値未満である場合、ワイヤレス媒体から受信されたエネルギーは、ＡＰ Ｅ−Ｆによって効果的に無視され得る。このように、ＡＰ Ｅ−Ｆのどちらかは、媒体上のエネルギーが標準エネルギー繰り延べしきい値未満である場合、媒体が利用可能であると決定し、重ねて標準エネルギー繰り延べしきい値未満である媒体上の他のデータと同時にそれ自身のデータを送信し得る。例えば、８０２．１１のＡＣでは、ＡＰ Ｅ−Ｆのようなデバイスは、様々な環境下で−６２  ｄＢＭまたは−７２ｄＢｍのエネルギー繰り延べしきい値を利用し得る。
【００９３】
[00111]いくつかの標準エネルギー繰り延べしきい値の使用と共に、例えば、さらに８０２．１１ａｃのもの、２つのＡＰ５０４Ｅ−Ｆは、同時に送信し得ない。例えば、ＳＴＡ５０６ＩへのＡＰ５０４Ｅの送信は、ＡＰ５０４Ｆの標準のエネルギー繰り延べしきい値より上のエネルギーレベルでＡＰ５０４Ｆによって受信され得る。ＡＰ５０４Ｅによる送信がＡＰ５０４Ｆの標準のエネルギー繰り延べしきい値より上にあるので、ＡＰ５０４Ｆは、ＡＰ５０４Ｅの送信を検出し、ワイヤレスネットワーク上で送信するのを再び試みる前に標準送信繰り延べ方法を実装する。同様に、ＳＴＡ５０６ｋへのＡＰ５０６Ｆによる送信は、ＡＰ５０４Ｅの標準エネルギー繰り延べしきい値より上のエネルギーレベルでＡＰ５０４Ｅによって受信され得る。したがって、ＡＰ５０４Ｅは、ＡＰ５０４Ｆが送信しているときに媒体が使用されていることを検出し、少なくともＡＰ４０５Ｆの送信が完了するまで、それ自身の送信を延期し得る。
【００９４】
[00112]図５Ｃは、図１のワイヤレス通信システム１００および図２Ｂのワイヤレス通信システム２５０内で用いられ得る同時送信の例を示す。図５Ｃは、２つのアクセスポイント５０４Ｇ−Ｈを説明する。アクセスポイント５０４Ｇ−Ｈは、図１に示されたＡＰ  ＨＥＷＣ１５４および／または図２Ｂに示されたＡＰ  ｗ／ＨＥＷＣ  ２５４Ａ−Ｃの特徴を実質的に組み込み得る。アクセスポイント５０４Ｇ−Ｈは、いくつかの態様におけるワイヤレスデバイス４０２によって実装され得る。ＡＰ５０４ＨがＢＳＳ５０２ｇを制御している間、ＡＰ５０４Ｇは、ＢＳＳ５０２ｆを制御している。図５Ｃにおいて実証される同時送信は、ワイヤレス媒体の増加した再利用を提供し得る。
【００９５】
[00113]いくつかの態様では、同時送信は、アクセスポイント５０４Ｅ−Ｆによって、図５Ｂ中で利用された標準エネルギー繰り延べしきい値より高いエネルギー繰り延べしきい値の使用を通じて達成され得る。エネルギー繰り延べしきい値を増加させることによって、より多くの送信協働は、増加したエネルギー繰り延べしきい値を利用する１つまたは複数のデバイスとワイヤレスネットワーク上で送信する他のデバイスとの間で達成され得る。例えば、８０２．１１ａｃにおける標準エネルギー繰り延べしきい値が特定の条件下で−７２ｄＢｍにセットされ得る一方、アクセスポイント５０４Ｅ−Ｆは、−７２ｄＢｍより高いエネルギー繰り延べしきい値を利用し得る。例えば、いくつかの態様では、８０２．１１ａｃ標準が−７２ｄＢｍのエネルギー繰り延べしきい値を要求する場合、アクセスポイント５０４Ｅ−Ｆは、−６２ｄＢＭのエネルギー繰り延べしきい値を利用し得る。
【００９６】
[00114]より高い標準エネルギー繰り延べしきい値の使用は、ＡＰ５０４Ｅ−Ｆによって共有される媒体と比較してＡＰ５０４Ｇ−Ｈによって共有されるワイヤレス媒体の再利用を容易に増大し得る。例えば、図５Ｃの説明される態様では、ＡＰ５０４Ｇは、ＳＴＡ  ５０６Ｍにワイヤレスメッセージを送信し得る。このメッセージはまた、ＡＰ５０４Ｈの増加したエネルギー繰り延べしきい値未満であるエネルギーレベルでＡＰ５０４Ｈによって受信される。ＡＰ５０４Ｈによって受信された時のメッセージのエネルギーレベルは、ＡＰ５０４Ｅが送信する時のＡＰ５０４Ｆによって受信されたのと同じエネルギーレベルであり得る。しかしながら、ＡＰ５０４ＨがＡＰ５０４Ｆに関する増加したエネルギー繰り延べしきい値を利用しているので、ＡＰ５０４Ｈは、ＡＰ５０４Ｇが送信しているときに媒体がまだ利用可能であると決定し得る。結果として、ＡＰ５０４Ｈは、（例えば）ＡＰ５０４ＧからＳＴＡ５０６Ｍまたは５０６Ｎへの送信と同時に（例えば）ＳＴＡ５０６Ｐにメッセージを送信し得る。したがって、増加したエネルギー繰り延べしきい値は、標準エネルギー繰り延べしきい値を利用する、ＡＰ５０４Ｅ−Ｆによって共有される媒体と比較して、ＡＰ  Ｇ−Ｈによって共有されるワイヤレス媒体の増加した再利用（増加した協働）を提供し得る。以上で議論された態様では、プリアンブル繰り延べしきい値は、エネルギー繰り延べしきい値への言及の代わりとなり得る。
【００９７】
[00115]いくつかの態様では、プリアンブルの送信レートは、送信が開始される時間でのワイヤレス媒体の条件に基づき得る。例えば、いくつかの態様では、ワイヤレスデバイスは、送信がワイヤレス媒体上に生じていることを検出するが、その送信に従わないと決定し代わりに第２の送信を開始する。いくつかの態様では、第２の送信のプリアンブルは、標準またはデフォルト送信レートに関連して低減されたレートで送信され得る。低減されたレートでプリアンブルを送信することは、第１の送信の検出に基づき得る。低減されたレートで第２のメッセージプリアンブルを送信することによって、サードパーティ局のロバストな繰り延べを保証し、ロバストなチャネル制御も保証し得る。いくつかの態様では、しきい値は、１秒当たり６メガビット（Ｍｂｐｓ）であり得る。
【００９８】
[00116]図５Ｄは、図１のワイヤレス通信システム１００および図２Ｂのワイヤレス通信システム２５０内で用いられ得るキャリアセンス多元接続（ＣＳＭＡ）を利用する媒体上でワイヤレスメッセージを送信するためのプロセスのフローチャートである。いくつかの態様では、プロセス５６０は、アクセスポイントまたは局によって実行され得る。アクセスポイントによって実行される場合、プロセス５６０は、より大きなダウンリンクスループットに帰着する、ダウンリンク再利用を増加させ得る。局によって実行される場合、プロセス５６０は、より大きなアップリンクスループットに帰着する、アップリンク再利用を増加させ得る。
【００９９】
[00117]ブロック５６２では、ワイヤレス媒体の条件が決定される。例えば、ワイヤレスデバイスがワイヤレスネットワーク上で送信する前に、キャリアセンス媒体アクセス（ＣＳＭＡ）を用いるデバイスは、送信がネットワーク上で同時に生じているかどうか検知する。図５Ｄは、少なくとも３つの別個のワイヤレス媒体条件：１）エネルギーのみが検出された（決定ブロック５６４においてテストされる）、２）パケットデータが検出されるがプリアンブルが検出されない（ブロック５６８においてテストされる）、またはプリアンブルが検出される（ブロック５７２においてテストされる）を企図する。
【０１００】
[00118]決定ブロック５６４は、エネルギーのみが媒体上で検知されるかどうか決定する。いくつかの態様では、検知されたエネルギーは、しきい値より大きい媒体上でのノイズまたは干渉の結果であり得る。エネルギーが検知されるがパケットデータが検出されない場合、任意の未完のメッセージの送信が延期される。プロセス５６０は、ブロック５６５に移り、カウントダウンまたは実質的に表文ＣＳＭＡバックオフ方法が実行される。バックオフまたはカウントダウンダウンタイムが経過した後、標準エネルギー繰り延べしきい値は、媒体が利用可能かどうかを決定するために利用される。いくつかの態様では、ブロック５６５が実行された後、ブロック５６２は、指定されたしきい値を使用して再び実行され得る。
【０１０１】
[00119]パケットデータが検出される場合、プロセス５６０は、パケットプリアンブルデータが検出されるかを決定する、決定ブロック５６８に移る。いくつかの態様では、媒体のセンシングは、プリアンブルを検出しないが、パケットデータを検出し得る。ブロック５６８は、これがそのケースであるかどうか識別する。プリアンブルが検出されない場合、決定ブロック５６８からブロック５７０に移る。ここで、標準ＣＳＭＡバックオフまたはカウントダウン方法が用いられ得る。バックオフ時間期間が経過した後、プロセス５６０は、標準において識別されるしきい値より高いエネルギー繰り延べしきい値を使用して再び媒体を検知し得る。例えば、いくつかの態様では、（８０２．１１ａｃのような）標準が利用されるのに−７２ｄＢｍのしきい値を要求する場合、−６２ｄＢｍのエネルギー繰り延べしきい値が利用され得る。標準に関する増加したエネルギー繰り延べしきい値の使用は、プロセス５６０を実行するデバイスが他のデバイスによって共有される媒体の増加した再利用およびより高い利用可能性を経験することを可能にし得る。例えば、プロセス５６０が第１のアクセスポイントによって実行される場合、増加した再利用は、第１のアクセスポイントが第２のアクセスポイントの送信からの干渉に影響を受けるときに経験され得る。
【０１０２】
[00120]決定ブロック５６８がパケットデータを検出しない、またはプリアンブルが検出される場合、プロセス５６０は、有効なプロアンブルが検出されるかどうか決定する、決定ブロック５７２に移る。プリアンブルが検出される場合、プロセス５６０は、図６Ｃ−８Ｂに関して以下で議論されるように発展型繰り延べルールを利用する、ブロック５７４に移る。プリアンブルがブロック５７２において検出されない場合、媒体は、ブロック５７８において利用可能であると決定する。
【０１０３】
[00121]図５Ｅは、図１の通信システム１００、および／または図２Ｂの通信システム２５０、または図５Ｃの通信システム５４０内で送信される例示のワイヤレスネットワークまたはメッセージを説明する。ワイヤレスパケット５８０は、プリアンブル５８２、ＰＬＣＰヘッダ５８４、およびＰＳＤＵまたはＭＡＣフレーム５８６を含む。ＰＬＣＰヘッダ５８４は、信号フィールド５９０、サービスフィールド５９２、長さフィールド５９４、およびＰＬＣＰ  ＣＲＣフィールド５９６を含む。延期フィールド（defer field）５９５は、サービスフィールド５９２中に定義される。説明される例では、延期ビットは、サービスフィールドの１ビットである。しかしながら、サービスフィールド５９２またはＰＬＣＰヘッダ５８４の他のフィールド内の他の１つまたは複数のビットは、他の態様における延期インジケーション（defer indication）として使用され得る。１つの実装では、延期インジケーションのセットは、ワイヤレスネットワークパケット５８０の送信が完了する後までワイヤレス媒体上の他のデバイスがそれらの送信を延期することをパケットの送信機が要求していることを示す。いくつかの態様では、延期インジケーションがクリアな場合、これは、パケット５８０の送信機がパケット５８０の送信の間に他の送信の繰り延べを要求していないことを示す。いくつかの実装では、これらのビット値の意味は、逆になり得る。
【０１０４】
[00122]いくつかの態様では、送信デバイスは、送信デバイスは、ワイヤレスメッセージ５８０のための宛先デバイスの１つまたは複数の特徴に基づいて延期インジケーション５９６を設定する。いくつかの態様では、これらの特徴は、宛先デバイスがメッセージ５８０を正確に受信し復号する可能性に関連し得る。いくつかの態様では、送信デバイスは、送信するときに、干渉にさらされる、または送信デバイスから第１のしきい値近接より離れた距離に位置付けられる、のどちらかであると決定した宛先ワイヤレスデバイスに繰り延べを要求する。
【０１０５】
[00123]送信デバイスは、宛先デバイスが一般に干渉にさらされないと決定された場合、または宛先デバイスが送信機の第１のしきい近接内にある場合、繰り延べインジケーション５９５を使用して繰り延べを要求し得ない。このストラテジーは、宛先局がメッセージ５８０の成功裏の受信の高い見込み有し、したがって、同時送信によって生成されたある干渉を許容することができるという仮定に基づき得る。
【０１０６】
[00124]送信機が繰り延べを要求しない場合、ワイヤレスネットワーク上のパケット５８０の送信を検出する他のいくつかのデバイスは、パケット／メッセージ５８０の送信と同時に自分のパケットを送信し得る。したがって、繰り延べを要求しないことによって、パケット５８０の送信デバイスは、複数のデバイスによって共有されるワイヤレス媒体の増加した再利用を提供し得る。この増加した再利用は、いくつかの態様におけるワイヤレス媒体の増加した帯域幅を提供し得る。図５Ｅで説明された延期ビット５９５のさらなる使用は、以下の開示のレビューの後で明白になることになる。
【０１０７】
[00125]図６Ａは、図１の通信システム１００、および／または図２Ｂの通信システム２５０、または図５Ｃの通信システム５４０内で用いられるキャリアセンス多元接続（ＣＳＭＡ）を利用する媒体上でワイヤレスメッセージを送信するプロセス５７４のフローチャートである。いくつかの態様では、プロセス５７４は、アクセスポイントまたは局によって実行され得る。図６のプロセス５７４は、方法５６０のいくつかの態様における図５Ｄのブロック５７４に対応するおよび／またはブロック５７４中で利用され得る。
【０１０８】
[00126]ブロック６０２では、第１のワイヤレスメッセージの少なくとも一部は、ワイヤレスデバイスを介して受信される。いくつかの態様では、受信された一部は、少なくとも第１のワイヤレスメッセージのプリアンブルを含む。第１のワイヤレスメッセージは、１つまたは複数のインジケーションを備える。インジケーションは、第１のワイヤレスメッセージの宛先のタイプ、第１のワイヤレスメッセージのソースの基本サービスセット（ＢＳＳ）、受信デバイスが第１のワイヤレスメッセージの送信の間に送信を延期することを第１のワイヤレスメッセージの送信機が要求するかどうか、および第１のワイヤレスメッセージの波形の属性のうちの１つまたは複数を含む。いくつかの態様では、波形の属性は、第１のワイヤレスメッセージの変調またはコーディングを含み得る。いくつかの態様では、受信メッセージの一部中の宛先インジケーションのタイプは、メッセージのための宛先ノードがアクセスポイントまたは局であるかどうかを示し得る。いくつかの態様では、第１のワイヤレスメッセージのリソースの基本サービスセットは、第１のワイヤレスメッセージのプリアンブル内にあり得る。いくつかの態様では、第１のワイヤレスメッセージはまた、メッセージを送信するために第１のワイヤレスメッセージの送信機が使用した電力レベルを含み得る。いくつかの態様では、第１のワイヤレスメッセージは、ワイヤレスメッセージ５８０のフォーマットと実質的に一致し得る。
【０１０９】
[00127]いくつかの態様では、受信メッセージの送信機は、下限に近い受信属性または障害の生じた受信属性を持つワイヤレスデバイスに送信するときに繰り延べを要求し得る。例えば、相当な距離が送信機と意図した受信機との間で例えば、しきい値より大きな距離が存在する場合、送信機は、繰り延べを要求し得る。同様に、意図した受信機が送信機に比較的接近している場合、送信機は、その送信が意図した受信機へのその近接近に起因して任意の他の同時送信を溶かすことができると仮定して、繰り延べを要求し得ない。
【０１１０】
[00128]ブロック６０４は、インジケーションのうちの１つまた複数に、少なくとも部分的に、基づいて第２のワイヤレスメッセージの送信を延期するかどうか決定する。いくつかの態様は、媒体が受信メッセージの送信の間に再利用されるべきかどうかを決定するために、上記の受信メッセージの一部のソースＢＳＳインジケーションを利用する。例えば、いくつかの態様では、送信機は、それがそれ自身のＢＳＳ内が起源である第１のワイヤレスメッセージを検出する場合、媒体を再利用することができないと決定し得る（つまり、受信した第１のワイヤレスメッセージに対して延期することを決定する）。第１のワイヤレスメッセージが異なるＢＳＳが起源である場合、いくつかの態様では、ブロック６０４は、第２のワイヤレスメッセージの送信を延期しないことと、異なるＢＳＳからの第１のワイヤレスメッセージの送信／受信と同時に第２のワイヤレスメッセージを代わりに送信することとを決定し得る。
【０１１１】
[00129]これらの態様は、「ローカル」ＢＳＳ内の送信が比較的近くのデバイスに対してであり得るという仮定の下で動作し得るので、これらの送信の間の媒体の再利用は、全体のネットワークスループットを低減し得る。他のＢＳＳからの送信が検出される場合、これらの態様は、媒体を再利用し得る。したがって、これらの態様では、第１のワイヤレスメッセージのソースＢＳＳが第１のワイヤレスメッセージを受信するワイヤレスデバイスのＢＳＳ  ＩＤと異なる場合、その結果、送信は、延期され得ない。これらの態様は、異なるアクセスポイントと通信するワイヤレスデバイス間の同時通信または再利用における改良に備え得る。
【０１１２】
[00130]１つの態様では、ブロック６０２の第１のワイヤレスメッセージの一部中で受信した宛先インジケーションのタイプは、媒体の再利用を増加させるために利用され得る。例えば、いくつかの態様では、受信メッセージがアクセスポインに対して行くことになっている場合、いくつかの実装は、第１のワイヤレスメッセージの送信の間に第２のワイヤレスメッセージの送信を延期しないことを決定し得る。これらの実装は、これらの送信がアクセスポイントからの典型的に利用可能な送信電力より少ない利用可能な送信電力を持つデバイスによって典型的に生成され得るので、アクセスポイントへの送信の間により多くの再利用を提供し得る。代替として、送信のソースが第２のワイヤレスメッセージを送信するデバイスと異なるＢＳＳ内であっても、いくつかの実装は、アクセスポイントへのメッセージ送信を延期し得る。これは、近隣ＢＳＳ中の局からのより弱い送信が過度に妨害されないことを保証し得る。
【０１１３】
[00131]いくつかの態様では、第１のワイヤレスメッセージの送信機は、受信デバイスが第１のワイヤレスメッセージの送信の間の送信を延期することを要求する。例えば、第１のワイヤレスメッセージは、図５Ｅで説明された延期インジケーション５９５を実質的に含み得る。これらの態様では、第２のメッセージの送信は、延期インジケーション５９５に基づいて延期され得る。いくつかの態様では、延期インジケーション５９５は、ブロック６０４の繰り延べ決定中のただ１つの考慮すべき事項である。例えば、送信機が繰り延べを要求したとしても、いくつかのデバイスは、（第１のワイヤレスメッセージの送信／受信に従わず）ワイヤレス媒体を再利用し得る。例えば、いくつかの態様では、第２のワイヤレスメッセージのための繰り延べ決定は、延期インジケーションおよびソースＢＳＳに基づき得る。いくつかの態様では、繰り延べが要求されることを第１のワイヤレスメッセージが示し、起源側／ソースＢＳＳが受信デバイスのＢＳＳと同じである場合、第２のワイヤレスメッセージの送信は、第１のワイヤレスメッセージの送信／受信の間、延期されることになる。これらの態様では、繰り延べが要求され、ソースＢＳＳが受信デバイスのＢＳＳと異なる場合、第２のワイヤレスメッセージの送信は、延期され得ない。
【０１１４】
[00132]いくつかの態様では、延期するかどうかの決定は、少なくともアクセスポイントから受信された送信繰り延べルールのインジケーションにさらに基づく。例えば、いくつかの態様では、アクセスポイントは、以上で議論したインジケーションのうちのもしあればどれがワイヤレスメッセージの送信を延期するかどうか決定するために局によって使用されるべきであるかをその関連する局に示し得る。いくつかの態様では、繰り延べルールは、メッセージ繰り延べ決定を制御する複数の条件を記述し得る。複数の条件は、以上で提供されるインジケーションおよび／または追加のインジケーションまたはパラメータのうちの１つまたは複数に基づき得る。
【０１１５】
[00133]いくつかの態様では、延期するかどうかの決定は、送信を延期するかどうか決定の決定を行うワイヤレスデバイス（例えば、プロセス５７４を実行するデバイス）のタイプにさらに基づく。例えば、いくつかのアクセスポイントは、概して自分の送信を延期し得ない。これらの態様では、ワイヤレスデバイスのタイプがアクセスポイントである場合、第２のワイヤレスメッセージの送信は延期されず、繰り延べインジケーション５９５のような、受信した第１のワイヤレスメッセージ中に存在している任意の繰り延べインジケーションが無視され得る。これらの態様は、複数のアクセスポイントを含むネットワーク環境中で改善されたダウンリンク再利用を提供し得る。
【０１１６】
[00134]いくつかの態様では、局は、それら自身の送信を一般に延期し得ない。これらの態様は、局送信が一般により弱く、他のデバイスの送信と干渉しないだろうという仮定で設計され得る。これらの態様では、プロセス５７４を実行するワイヤレスデバイスが局である場合、第２のワイヤレスメッセージは、延期され得ない。これらの態様は、局からアクセスポイントへのデータのための改善されたアップリンク再利用を提供する。いくつかの態様では、第２のワイヤレスメッセージの送信を延期するかどうかの決定は、第２のワイヤレスメッセージを送信する時に使用される送信電力に基づき得る。例えば、いくつかの態様では、送信機は、送信が第２のワイヤレスメッセージの意図した受け手によって成功裏に受信されるようにするために高電力レベルで実行されなければならないと決定し得る。送信機はまた、この高電力レベルがその意図した受け手で第１のワイヤレスメッセージの受信と干渉しそうであると決定し得る。結果として、送信機（プロセス５７４を実行するデバイス）は、第２のワイヤレスメッセージの送信を延期することを決定し得る。同様に、比較的より低い電力レベル（例えばより低い電力しきい値未満である電力レベル）で第２のワイヤレスメッセージを送信することができる場合、その後、送信機は、低電力送信が意図した受け手で第１のワイヤレスメッセージの受信と干渉しなさそうであると決定し得る。したがって、送信機は、第１のワイヤレスメッセージに対して延期しないと決定し、第１のワイヤレスメッセージがまだワイヤレスネットワーク上で送信／受信されている間に第２のワイヤレスメッセージを送信し得る。
【０１１７】
[00135]いくつかの態様では、局がそれ自身に関連するアクセスポイントと異なるＢＳＳのアクセスポイントの干渉範囲内によりいそうであるので、局は、アクセスポイントより別のＢＳＳとより干渉しそうであり得る。したがって、いくつかの態様では、局は、同じＢＳＳ内の関連するアクセスポイントと異なるＢＳＳから受信されたメッセージにより頻繁に延期するように構成され得る。
【０１１８】
[00136]いくつかの態様では、ブロック６０４中の第２のワイヤレスメッセージの送信を延期するかどうかを決定することは、送信電力または第１のワイヤレスメッセージの受信電力にさらに基づきうる。いくつかの態様では、送信電力は、受信された第１のメッセージの一部中に示され得る。いくつかの態様では、第１のワイヤレスメッセージの送信電力は、受信された第１のワイヤレスメッセージのプリアンブル中に示され得る。いくつかの態様では、決定することは、受信された第１のワイヤレスメッセージのＭＣＳにさらに基づき得る。
【０１１９】
[00137]いくつかの態様では、ブロック６０４は、図８Ａのブロック８０４に関して以下に議論される機能の１つまたは複数を組み込み得る。例えば、繰り延べ決定は、図８Ａに関して以下で議論されるように、受信されたメッセージのプロパティまたはインジケーションに基づき得るおよび／または（受信されたメッセージと同時に送信され得る）送信されたメッセージのプロパティまたはインジケーションに基づき得る。
【０１２０】
[00138]ブロック６０４のいくつかの態様は、以上議論されたインジケーションの組み合わせに基づいて繰り延べ決定が行われ得る。例えば、いくつかの態様では、メッセージの宛先が局であり、ソースのＢＳＳが第１のワイヤレスメッセージを受信するワイヤレスデバイスのＢＳＳと異なる場合、第２のワイヤレスメッセージの送信は、延期され得る。別の例では、受信メッセージの送信機が繰り延べを要求しなくても、送信は、局によって延期され得る。別の例では、ブロック６０２の受信メッセージの送信機が繰り延べを要求せず、送信の受信電力がしきい値未満である場合、局は、媒体を再利用し得る。送信の受信電力がしきい値より上である場合、局は、受信メッセージの送信機が繰り延べを要求したかどうかにかかわらず送信をそれでも延期し得る。下記の表１は、受信メッセージ内のインジケーションのいくつかの可能な組み合わせ、およびそれらの組み合わせに基づいて送信を延期するかどうかを１つの実装がどのように決定し得るかを要約する。下記の表は、組み合わせの網羅的なリストであるようには意図されず、インジケーションの特定の組み合わせが処理され得るただ一つの方法を伝えるものではない。図６Ｃは、送信が延期されるかどうか決定するためにブロック６０４におけるインジケーションのうちのいくつかがどのように組み合わせられ得るかの追加の例を示す。
【０１２１】
【表１】
0006363176.tif 000002
【０１２２】
[00140]いくつかの態様では、図８Ａのブロック８０４に関して以下に議論されるように、第２のワイヤレスメッセージの送信を延期するべきかどうかは、第２のワイヤレスメッセージの１つまたは複数の属性にさらに基づき得る。いくつかの態様では、ブロック６０４は、ブロック８０４に関して以下に議論される機能の１つまたは複数を組み込み得る。
【０１２３】
[00141]いくつかの態様では、第２のワイヤレスメッセージの送信を延期するかどうかは、第１のワイヤレスメッセージの受信信号強度および／または第１のワイヤレスメッセージによって経験するパスロスに基づき得る。例えば、いくつかの態様では、第２のワイヤレスメッセージの送信は、第１のワイヤレスメッセージの受信信号強度がしきい値未満であり、第１のワイヤレスメッセージのソースＢＳＳがプロセス６００を実行するデバイスのＢＳＳと異なる場合に延期され得ない。
【０１２４】
[00142]他のいくつかの態様では、第１のワイヤレスメッセージのパスロスは、ブロック６０４において決定され得る。例えば、パスロスは、第１のワイヤレスメッセージの受信信号強度を引いた、第１のワイヤレスメッセージそれ自体に含まれる、第１のワイヤレスメッセージの送信電力に基づいて決定され得る。他の態様は、送信電力が受信メッセージ中に指定されない時にデフォルト送信電力を仮定し得る。いくつかの態様では、パスロスがしきい値未満である（またはいくつかの態様では等しい）場合、第１のワイヤレスメッセージの受信が完了するまで、第２のワイヤレスメッセージの送信は、延期されないことになる。同様に、パスロスがこれらの態様におけるしきい値を超える（またはいくつかの他の態様において等しい）場合に繰り延べないことは、除外され得ない（しかしながら、以上で議論されたこれらの任意の組み合わせ、例えば、受信メッセージを延期しないときのソースと受信デバイスとの間のＢＳＳが異なり得る、ような、他の条件は、送信が延期されない前に必要であり得る）。
【０１２５】
[00143]ブロック６０６は、ブロック６０４の決定に基づいた第２のワイヤレスメッセージを送信する。
【０１２６】
[00144]図６Ｂは、図１の、図２Ｂ、図３、または図５Ｃのワイヤレス通信システム内で用いられ得るワイヤレス通信装置の機能ブロック図である。ワイヤレス通信装置が図６Ｂに示す簡略化されたワイヤレス通信装置６５０よりも多くの構成要素を有し得ることを当業者は諒解されよう。図示されたワイヤレス通信装置６５０は、特許請求の範囲内の実装のいくつかの顕著な特徴について説明するために有用なそれらの構成要素のみを含む。ワイヤレス通信装置６５０は、再利用インジケーション受信回路６５２、繰り延べ回路６５４、および／またはエンハンスト再利用送信回路６５６を含み得る。いくつかの態様では、再利用インジケーション受信回路６５２、繰り延べ回路６５４、およびエンハンスト再利用送信回線６５６のうちの１つまたは複数は、以上で議論されたＡＰ  ＨＥＷＣ１５４またはＳＴＡ  ＨＥＷＣ１５６内に実装され得る。
【０１２７】
[00145]いくつかの実装では、再利用インジケーション受信回路は、ブロック６０２に関して以上で議論された機能のうちの１つまたは複数を実行する。再利用インジケーション受信回路６５２は、プログラマブルチップ、プロセッサ、メモリ、およびネットワークインターフェースのうちの１つまたは複数を含み得る。例えば、再利用インジケーション受信回路６５２は、受信機４１２を含み得る。いくつかの実装では、少なくとも第１のワイヤレスメッセージの一部を受信するための手段は、再利用インジケーション受信回路６５２を含み得る。
【０１２８】
[00146]いくつかの実装では、繰り延べ回路６５４は、ブロック６０４に関して以上で議論された１つまたは複数の機能を実行するように構成され得る。繰り延べ回路６５４は、プログラマブルチップ、プロセッサ、メモリ、およびネットワークインターフェースのうちの１つまたは複数を含み得る。例えば、繰り延べ回路は、プロセッサ４０４を含み得る。いくつかの実装では、ワイヤレスメッセージの送信を延期するかどうかを決定するための手段は、繰り延べ回路６５４を含み得る。
【０１２９】
[00147]いくつかの実装では、エンハンスト再利用送信回路６５６は、ブロック６０６に関して以上で議論された１つまたは複数の機能を実行するように構成され得る。エンハンスト再利用送信回路６５６は、プログラマブルチップ、プロセッサ、メモリ、およびネットワークインターフェースのうちの１つまたは複数を含み得る。例えば、エンハンスト再利用送信回路は、送信機４１０を含みうる。いくつかの実装では、繰り延べ決定に基づいてワイヤレスメッセージを送信するための手段は、エンハンスト再利用送信回路６５６を含み得る。いくつかの態様では、ワイヤレス装置６５０は、以下に議論される、デバイス８５０の１つまたは複数の態様を組み込み得る。
【０１３０】
[00148]図６Ｃは、図１のワイヤレス通信システム１００、図２Ｂのワイヤレス通信システム２５０、または図５Ｃのワイヤレス通信システム５４０内に用いられ得るキャリアセンス多元接続（ＣＳＭＡ）を利用する媒体上でワイヤレスメッセージの送信を延期するかどうか決定するためのプロセスの１つの態様のフローチャートである。いくつかの態様では、プロセス６０４は、アクセスポイントまたは局によって実行され得る。プロセス６０４は、図６Ａに関して以上で議論される、プロセス６００の一部として実行され得る。例えば、プロセス６０４は、いくつかの態様中のプロセス６００のブロック６０４の一部として実行され得る。例えば、図６Ｃ中に参照される受信パケットは、プロセス５７４の第１のワイヤレスメッセージであり得る。
【０１３１】
[00149]決定ブロック６７２は、受信パケットが受信デバイスのＢＳＳと同じＢＳＳに向かうかどうかを決定する。受信デバイスは、必ずしも受信パケットの宛先アドレスにおいて指定されたデバイスではない。代わりに、受信デバイスは、プロセス６０４を実行する任意のデバイスであり得る。これは、受信デバイスがメッセージを検出および復号させるために受信パケット／メッセージのエネルギーが十分高いような送信範囲内の任意のデバイスを含み得る。以上で議論されるように、いくつかの態様は、同じＢＳＳ内の他の送信と同時に送信しないと選択し得る。受信パケット／メッセージが同じＢＳＳに向けられる場合、プロセス６０４は、受信パケットを延期するブロック６７８に移る。
【０１３２】
[00150]そうでなければ、決定ブロック６７４は、受信デバイスが局であるかどうかを決定する。受信デバイスが局である場合、その後、プロセス６０４は、受信パケットを延期する、ブロック６７８に移る。受信デバイスが局でない（およびいくつかの実装におけるアクセスポイントまたは中継器である）場合、その後、ブロック６７６は、受信パケットが送信されている間に他の受信デバイスが送信を延期することを受信パケットの送信機が要求するかどうかを決定する。繰り延べが送信機によって明示的に要求されない場合、ブロック６８０は、受信パケットに従わない。言いかえれば、ブロック６８０は、（図６Ａのプロセス５７４における第２のワイヤレスメッセージのような）送信が受信パケット（図６Ａの第１のワイヤレスメッセージ）の送信／受信と同時に生じると決定し得る。これは、複数のワイヤレスデバイスによって共有される媒体の増加した再利用を容易にし得る。この増加した再利用は、既知のまたは標準の方法と比較したとき、ワイヤレスネットワークの増加したスループットを提供し得る。
【０１３３】
[00151]図７Ａは、図１のワイヤレス通信システム、図２Ｂのワイヤレス通信システム２５０、および図５Ｃのワイヤレス通信システム５４０内で用いられ得るキャリアセンス多元接続（ＣＳＭＡ）を利用する媒体上でワイヤレスメッセージを送信するためのプロセスのフローチャートである。いくつかの態様では、プロセス７００は、アクセスポイントまたは局によって実行され得る。いくつかの態様では、プロセス７００において送信される第１のワイヤレスメッセージは、メッセージを受信するデバイスに１つまたは複数のインジケーションを提供し得る。インジケーションは、少なくとも第１のワイヤレスメッセージの送信が完了するまでそれら自身の送信が延期されるべきであるか、またはそれらがプロセス７００の第１のワイヤレスメッセージの送信と同時のそれら自身のメッセージの送信を開始し得るかどうか、を決定するために受信デバイスによって利用され得る。いくつかの態様では、同時送信は、複数のワイヤレスデバイスによって共有されるワイヤレス媒体の改善された再利用を提供し得る。例えば、集合住宅またはオフィスパークのような、比較的組み合された空間内での複数のアクセスポイントによって共有されるワイヤレス媒体は、プロセス７００における第１のワイヤレスメッセージの送信を介してそれらのワイヤレス媒体の改善された再利用を経験し得る。この増加した再利用は、これらの密集したネットワーク環境内に位置付けられたワイヤレスネットワークの増加したスループットを提供し得る。
【０１３４】
[00152]ブロック７０２では、第１のワイヤレスメッセージは、ワイヤレスデバイスによって生成される。第１のワイヤレスメッセージは、１つまたは複数のインジケーションを含む。インジケーションは、第１のワイヤレスメッセージの宛先のタイプのうちの１つまたは複数と、第１のワイヤレスメッセージの受信デバイスが第１のワイヤレスメッセージの送信／受信を延期することを第１のワイヤレスメッセージの送信機が要求するかどうか（延期要求インジケーション）とを備える。いくつかの態様では、第１のワイヤレスメッセージのタイプの宛先のタイプは、アクセスポイントまたは局であり得る。
【０１３５】
[00153]いくつかの態様では、第１のワイヤレスメッセージは、追加のインジケーションを含み得る。例えば、第１のワイヤレスメッセージは、第１のワイヤレスメッセージのソースの基本サービスセットのインジケーション、および／または第１のワイヤレスメッセージの波形の属性を含み得る。いくつかの態様では、波形の属性は、第１のワイヤレスメッセージの変調またはコーディングを含み得る。
【０１３６】
[00154]いくつかの態様では、第１のワイヤレスメッセージのソースの基本サービスセットは、第１のワイヤレスメッセージの基本サービスセット識別子（ＢＳＳＩＤ）、またはプロセス７００の場合では、ワイヤレスデバイスの基本サービスセット識別子であり得る。
【０１３７】
[00155]いくつかの態様では、第１のワイヤレスデバイスは、アドレス指定された受信機が第１のワイヤレスメッセージを正確に且つ完全に受信することになると評価された可能性に基づいて延期要求インジケーションを生成し得る。例えば、ワイヤレスデバイスとアドレス指定された受信機との間の信号パスが下限に近いシナリオでは、ワイヤレスデバイスは、第１のワイヤレスメッセージがアドレス指定された受信機によって正確かつ完全に受信される変更を最大限にするために繰り延べを要求し得る。これは、例えば、相当な距離が送信機と意図された／アドレス指定された受信機との間に存在する場合のケースとなり得る。同様に、第１のメッセージが送信機の比較的近接近にあるデバイスに送信されることになる場合、別のデバイスが第１のワイヤレスメッセージの送信／受信の間に送信しても、アドレス指定された受信機が第１のワイヤレスメッセージを正確且つ完全に受信することができる可能性がより高いので、送信機は繰り延べを要求し得ない。送信機が意図した／アドレス指定された受信機に比較的接近しているので、第１のメッセージが意図した受信機によって受信されるときに受け入れ可能な信号対雑音比をもたらすので、送信機の送信は、任意の他の同時送信を溶かすことができ得る。繰り延べが明示的に要求されない場合、他のワイヤレスデバイスが第１のワイヤレスメッセージの送信と同時に送信し得るとき、既知のまたは標準の方法と比較したときにワイヤレスネットワークのスループットの増加と共に、ワイヤレス媒体の増加した再利用が生じ得る。
【０１３８】
[00156]いくつかの態様では、第１のワイヤレスメッセージは、第１のワイヤレスメッセージを送信するように使用される送信電力をさらに示す。いくつかの態様では、第１のワイヤレスメッセージを受信するデバイスは、送信電力に基づいて第１の送信／受信の終了までそれら自身の送信を延期するかどうかを決定し得る。例えば、いくつかの態様では、高い送信電力は、送信機と第１のワイヤレスメッセージのアドレス指定された受信機との間の下限に近い信号パスを示し得る。したがって、いくつかの態様におけるいくつかの受信デバイスは、特定の電力しきい値より上の送信電力で送信されたメッセージに従い得る。他のいくつかの態様は、低い送信電力で送信されるメッセージは、移動局のような、下限に近いまたは少なくともより低い電力送信を持つデバイスによって送信され得ると仮定し得る。受信メッセージ中に示された送信電力が比較的低い場合、いくつかの態様は、受信メッセージの送信／受信が完了するまで、それら自身の送信を延期し得る。
【０１３９】
[00157]ブロック７０４では、第１のワイヤレスメッセージが送信される。
【０１４０】
[00158]図７Ｂは、図１のワイヤレス通信システム、図２Ｂのワイヤレス通信システム、図３のワイヤレス通信システム、および図５Ｃのワイヤレス通信システム内で用いられ得るワイヤレス通信システム装置の機能ブロック図である。ワイヤレス通信装置が図７Ｂに示す簡略化されたワイヤレス通信装置７５０よりも多くの構成要素を有し得ることを当業者は諒解されよう。図示されたワイヤレス通信装置７５０は、特許請求の範囲内の実装のいくつかの顕著な特徴について説明するために有用なそれらの構成要素のみを含む。ワイヤレス通信装置７５０は、再利用インジケーション生成回路７５２およびエンハンスト再利用送信回路７５４を含み得る。いくつかの態様では、再利用インジケーション生成回路７５２、およびエンハンスト再利用送信回路７５４のうちの１つまたは複数は、以上で議論されたＡＰ  ＨＥＷＣ１５４またはＳＴＡ  ＨＥＷＣ１５６のうちの１つまたは複数内で実装され得る。
【０１４１】
[00159]いくつかの実装では、再利用インジケーション生成回路７５２は、ブロック７０２に関して上記で議論された機能のうちの１つまたは複数を実行するように構成され得る。再利用インジケーション生成回路７５２は、プログラマブルチップ、プロセッサ、メモリ、およびネットワークインターフェースのうちの１つまたは複数を含み得る。たとえば、生成回路は、プロセッサ４０４を含み得る。いくつかの実装では、ワイヤレスメッセージを生成するための手段は、再利用インジケーション生成回路７５２を含み得る。
【０１４２】
[00160]いくつかの実装では、エンハンスト再利用送信回路７５４は、ブロック７０４に関して上記で議論された機能のうちの１つまたは複数を実行するように構成され得る。エンハンスト再利用送信回路７５４は、プログラマブルチップ、プロセッサ、メモリ、およびネットワークインターフェースのうちの１つまたは複数を含み得る。例えば、エンハンスト再利用送信回路は、送信機４１０を含み得る。いくつかの実装では、繰り延べ決定に基づいてワイヤレスメッセージを送信するための手段は、エンハンスト再利用送信回路７５４を含み得る。
【０１４３】
[00161]図８Ａは、図１のワイヤレス通信システム１００、図２Ｂのワイヤレス通信システム２５０、および／または図５Ｃのワイヤレス通信システム５４０内で用いられ得るキャリアセンス多元接続（ＣＤＭＡ）を利用する媒体上でワイヤレスメッセージを送信するためのプロセスのフローチャートである。いくつかの態様では、プロセス８００は、アクセスポイントまたは局によって実行され得る。
【０１４４】
[00162]ブロック８０２では、第１のワイヤレスメッセージの少なくとも一部がワイヤレスデバイスによって受信される。いくつかの態様では、一部は、第１のワイヤレスメッセージのプリアンブルを含み得る。第１のワイヤレスメッセージは、第２のワイヤレスデバイスにアドレス指定される。第１のワイヤレスメッセージの意図した受信機が第２のワイヤレスデバイスであるが、第１のワイヤレスデバイスはまた、第１のワイヤレスメッセージを受信し得ることに留意されたい。例えば、ワイヤレス媒体上でリッスンするデバイスは、媒体上で送信されるメッセージの全ての少なくとも一部または少なくとも媒体上で送信されたすべてまたは大部分を受信し得る。メッセージが受信されるとき、それらのプリアンブルは、メッセージが復号デバイスにアドレス指定されるかどうか、そしてさらなる処理が必要かどうかまたはメッセージの残りの部分が廃棄および／または無視され得るかどうかを決定するポイントに少なくとも復号され得る。
【０１４５】
[00163]ブロック８０４は、第１のワイヤレスデバイスと第３のワイヤレスデバイスとの物理的距離、第３のワイヤレスデバイスのタイプ、第２のワイヤレスメッセージの計画された送信電力、および第１のワイヤレスデバイスのタイプのうちの１つまたは複数に少なくとも部分的に基づいて、少なくとも第１のワイヤレスデバイスの受信が完了するまで第３のワイヤレスデバイスへの第２のワイヤレスメッセージの第１のワイヤレスデバイスによる送信を延期するかどうか決定する。
【０１４６】
[00164]例えば、いくつかの態様では、第１のワイヤレスメッセージの送信機とメッセージの意図した受信機（第２のワイヤレスデバイス）との間の物理的距離が、しきい値未満である場合、第２のメッセージの送信は、第１のワイヤレスデバイスによって延期され得ない。アクセスポイントがアクセスポイントの送信の間に強い信号対雑音比を受信することになる近隣の局にメッセージを送信している場合、これらの態様は、改善されたダウンリンク再利用を提供し得る。いくつかの態様では、第２のメッセージのための宛先デバイス（第３のワイヤレスデバイス）のタイプがアクセスポイントである場合、第２のメッセージの送信は、延期され得ない。これらの態様は、アクセスポイントにわたるアップリンク帯域幅の改善された再利用を提供し得る。いくつかの態様では、第１のワイヤレスデバイス（第２のワイヤレスメッセージの送信機）のタイプが、局またはアクセスポイントである場合、第２のメッセージの送信は、延期され得ない。
【０１４７】
[00165]例えば、いくつかの態様では、第２のメッセージを送信するデバイス（第１のワイヤレスデバイス）のタイプが、局である場合、第２のメッセージの送信は、延期され得ない。いくつかの態様では、第２のワイヤレスメッセージの宛先（第３のワイヤレスデバイス）と第１のワイヤレスデバイスとの間の物理的距離が、しきい値未満かどうかにさらに基づき得る。局がそのアクセスポイントに接近しており、したがって、別のアクセスポイントまたはそのアクセスポイントの局に近づきそうでない場合、これらの態様は、改善されたアップリンク再利用を提供し得る。
【０１４８】
[00166]いくつかの態様では、第２のワイヤレスメッセージの計画された送信電力は、送信が延期されるべきかどうか決定するために使用され得る。例えば、いくつかの態様では、送信機は、意図した受け手によって第２のワイヤレスメッセージの適切な受信を達成するために必要な送信電力がそれ自身の意図した宛先で第１のワイヤレスメッセージの受信と干渉するかどうかを決定し得る。いくつかの態様では、第２のワイヤレスメッセージの送信機は、第１のワイヤレスメッセージの受信部分に含まれる情報（例えば、第１のワイヤレスメッセージのプリアンブル）に基づいて第１のワイヤレスメッセージの意図した宛先での干渉の程度を決定し得る。
【０１４９】
[00167]例えば、送信機は、第１のワイヤレスメッセージの一部中の以下のインジケーションのうちの１つまたは複数に基づいて第１のメッセージの意図した受信機に第２のメッセージの送信によって引き起こされる干渉の程度を決定し得る： 第１のワイヤレスメッセージが送られているＭＣＳ、第１のメッセージの送信機と第１のメッセージの意図した受け手との間のおよそのパスロス、および第１のメッセージを送るために使用されている送信電力。送信機はまた、示されたリストに加えて第１のワイヤレスメッセージの一部中に含まれる他のデータを使用し得る。その後、送信機は、第２のワイヤレスメッセージの送信による第１のワイヤレスメッセージの意図した受信機で引き起こされる干渉の程度に少なくとも部分的に基づいて第１のワイヤレスメッセージに従うかどうか決定し得る。
【０１５０】
[00168]更に、送信機が第１のワイヤレスメッセージに対してその送信を延期しないことを決定する場合、それは、第１のワイヤレスメッセージの受け手に対する干渉を低減するために第２のワイヤレスメッセージを送る間にその送信電力を低減し得る。より具体的には、いくつかの態様では、第１のワイヤレスデバイスは、第１のワイヤレスメッセージを送信するために使用された送信電力および第１のワイヤレスメッセージを受信するときの受信信号強度インジケーション（ＲＳＳＩ）に基づいてそれ自身への第１のワイヤレスメッセージの送信機からのパスロスを計算し得る。以下の議論では、このパスロスは、ＰＬｔ１ｔ２と称される。
【０１５１】
[00169]その後、第２のワイヤレスメッセージのための送信電力、Ｐが、Ｐ−ＰＬｔ１ｔ＜Ｔであるような場合のみ、第１のワイヤレスデバイスは、第２のワイヤレスメッセージを送信することを選択し得る。ここで、Ｔは、しきい値である。いくつかの態様では、Ｔは、以下のうちの１つまたは複数の関数であり得る：第１のワイヤレスメッセージを送信するために使用されたＭＣＳ、および第１のワイヤレスメッセージの送信機から第１のワイヤレスメッセージの宛先へのパスロス。いくつかの態様では、１つまたは両方のこれらのインジケーションは、第１のワイヤレスデバイスによって受信された第１のワイヤレスメッセージの一部中に含まれ得る。いくつかの態様では、第１のワイヤレスデバイスは、Ｐ−ＰＬｔ１ｔ２＜Ｔであるような低減された送信電力、Ｐ、で第２のワイヤレスメッセージを送信し得る。ここで、Ｔは、以上で定義される。
【０１５２】
[00170]いくつかの態様では、第２のワイヤレスメッセージの送信を延期するかどうかは、第１のワイヤレスメッセージ中に含まれる１つまたは複数のインジケーションに基づき得る。いくつかの態様では、ブロック８０４は、ブロック６０４に関して以上議論された機能の１つまたは複数を組み込み得る。ブロック８０２において受信された第１のワイヤレスメッセージは、ブロック６０２に関して以上で議論されたインジケーションのうちの１つまたは複数を備え得る。
【０１５３】
[00171]したがって、別の（第１の）送信がワイヤレス媒体上で検出されるときに第２のメッセージの送信を延期するかどうかを決定する場合、実装は、多くのインジケーションを考慮し得る。例えば、（図６Ａおよび／または図８Ａによって記述された「第１の」ワイヤレスメッセージのような）受信メッセージの特徴と、「送信されたメッセージとなること」（図８Ａに関して以上で記述された「第２の」メッセージ）の特徴との両方は、いくつかの実装において考慮され得る。以下の表２は、本明細書で記述されるインジケーションの例示の組み合わせおよび１つの実装がそれらのインジケーションに基づいて送信を延期するかどうかをどのように決定するのかを示す。表２は、以上で記述されるインジケーションの可能な組み合わせの完全なリストと考えられるべきではなく、これらのインジケーションが組み合わせられ得る単なる１つのやり方であると考えられるべきである。
【０１５４】
【表２】
0006363176.tif 000003
【０１５５】
[00172]図８Ｂは、図１、図２Ｂ、および図３のワイヤレス通信システム内で用いられ得るワイヤレス通信装置の機能ブロック図である。ワイヤレス通信装置が図８Ｂに示される簡略化されたワイヤレス通信装置８５０よりも多くの構成要素を有し得ることを当業者は諒解されよう。図示されたワイヤレス通信装置８５０は、特許請求の範囲内の実装のいくつかの顕著な特徴について説明するために有用なそれらの構成要素のみを含む。ワイヤレス通信装置８５０は、受信回路８５２、繰り延べ回路８５４、およびエンハンスト送信回路８５６を含み得る。いくつかの態様では、再利用インジケーション受信回路８５２、繰り延べ回路８５４、およびエンハンスト再利用送信回路８５６のうちの１つまたは複数は、以上で議論されたＡＰ  ＨＥＷＣ１５４またはＳＴＡ  ＨＥＷＣ１５６内に実装され得る。
【０１５６】
[00173]いくつかの実装では、再利用インジケーション受信回路８５２は、ブロック８０２に関して上記で説明した機能のうちの１つまたは複数を実行するように構成され得る。再利用インジケーション受信回路８５２は、プログラマブルチップ、プロセッサ、メモリ、およびネットワークインターフェースのうちの１つまたは複数を含み得る。例えば、再利用インジケーション受信回路８５２は、受信機４１２を含み得る。いくつかの実装では、少なくともワイヤレスメッセージの一部を受信するための手段は、再利用インジケーション受信回路８５２を含み得る。
【０１５７】
[00174]いくつかの実装では、繰り延べ回路８５４は、ブロック８０４に関して以上で議論された１つまたは複数の機能を実行するように構成され得る。繰り延べ回路８５４は、プログラマブルチップ、プロセッサ、メモリ、およびネットワークインターフェースのうちの１つまたは複数を含み得る。例えば、繰り延べ回路は、プロセッサ４０４を含み得る。いくつかの実装では、ワイヤレスメッセージの送信を延期するかどうかを決定するための手段は、繰り延べ回路８５４を含み得る。
【０１５８】
[00175]いくつかの実装では、エンハンスト再利用送信回路８５６は、ブロック８０６に関して以上で議論される１つまたは複数の機能を実行するように構成され得る。エンハンスト再利用送信回路８５６は、プログラマブルチップ、プロセッサ、メモリ、およびネットワークインターフェースのうちの１つまたは複数を含み得る。例えば、エンハンスト再利用送信回路８５６は、送信機４１０を含み得る。いくつかの実装では、繰り延べ決定に基づいてワイヤレスメッセージを送信するための手段は、エンハンスト再利用送信回路８５６を含み得る。
【０１５９】
[00176]図９Ａは、図１のワイヤレス通信システム１００および図２Ｂのワイヤレス通信システム２５０内で用いられ得るワイヤレスネットワーク上のメッセージに従うかどうかを決定するためのプロセスのフローチャートである。いくつかの態様では、処理９００は、アクセスポイントまたは局によって実行され得る。
【０１６０】
[00177]密集したワイヤレス環境において動作するときの改良されたパケット繰り延べ方法を提供する。受信デバイスと同じＢＳＳ内から生成されたパケットに無条件に従うことによって、プロセス９００は、デバイスがＢＳＳ内の他のデバイスの送信と干渉しないことを保証する。ローカルＢＳＳ外から受信されたメッセージに対して、プロセス９００は、延期するかどうかを決定する前に行う別の決定レベルを加える。
【０１６１】
[00178]ローカルＢＳＳ外からのメッセージは、それらの受信エネルギーレベルに基づいて従わされる。メッセージの受信エネルギーレベルが第２の、より高い検出しきい値より上である場合、プロセス９００は、たとえそれがローカルＢＳＳ外から発生したとしても、メッセージに従う。しかしながら、エネルギーレベルが、例えば、第１のエネルギー検出しきい値より上だが、第２のエネルギー検出しきい値未満の場合、プロセス９００は、メッセージに従い得ない。これは、より低いエネルギーをもつ受信メッセージが受信デバイスからより大きな距離だけ離れたデバイスから送信されたものであり、したがって、意図した受信機によってメッセージの受信と干渉する可能性がより低くなり得るものであるから、ワイヤレス媒体の改善された再利用を提供し得る。
【０１６２】
[00179]ブロック９０５では、第１のワイヤレスデバイスは、第１のワイヤレスメッセージの少なくとも一部を受信する。第１のワイヤレスメッセージは、第２のワイヤレスデバイスにアドレス指定される。第１のワイヤレスメッセージの受信は、第１のプリアンブル検出しきい値に基づく。例えば、いくつかの態様では、第１のワイヤレスメッセージのエネルギーレベルは、第１のプリアンブル検出しきい値より上であり得る。したがって、これらの態様では、第１のワイヤレスメッセージは、メッセージとして検出される。いくつかの態様では、プロセス９００は、第１のワイヤレスデバイスによって実行され得る。
【０１６３】
[00180]ブロック９１０では、第１のワイヤレスメッセージのソースデバイスの基本サービスセットは、決定される。いくつかの態様では、ソースデバイスの基本サービスセットは、ブロック９０５において受信された第１のメッセージの少なくとも一部中に含まれ得る。例えば、ソースＢＳＳは、第１のワイヤレスメッセージのプリアンブル中に含まれ得る。他のいくつかの態様では、ソースＢＳＳは、第１のワイヤレスメッセージのソースデバイスアドレスに基づいて決定され得る。例えば、プロセス９００を実行するデバイスは、デバイスアドレスからＢＳＳへのマッピングを維持し得、それは、ソースデバイスアドレスに基づいてソースＢＳＳを決定するために使用されることができる。
【０１６４】
[00181]決定ブロック９１５は、ソースデバイスＢＳＳが第１のワイヤレスデバイスのＢＳＳと等しいかどうかを決定する。２つのＢＳＳが等しい場合、プロセス９００は、ブロック９３０中の第１のワイヤレスメッセージに従う。
【０１６５】
[00182]２つのＢＳＳが異なる場合、決定ブロック９２０は、ブロック９０５において受信された一部のエネルギーレベルが第２のプリアンブル検出しきい値より上であるかどうか決定する。第２のプリアンブル検出しきい値は、第１プリアンブル検出しきい値より高い。一部のエネルギーレベルが第２のプリアンブルより上である場合、その後、プロセス９００は、ブロック９３０において第１のワイヤレスメッセージに従う。一部のエネルギーレベルが第２のプリアンブル未満である場合、プロセス９００は、ブロック９２５において第１のワイヤレスメッセージに従わない。
【０１６６】
[00183]第１のワイヤレスメッセージに従わないことによって、プロセス９００を実行するデバイスは、第１のワイヤレスメッセージの少なくとも一部の受信の間に第２のワイヤレスメッセージを送信し得る。言いかえれば、第２のワイヤレスメッセージの送信は、第１のワイヤレスメッセージがまだ受信されているかどうかにかかわらず実行され得る。これは、第１のワイヤレスメッセージおよび第２のワイヤレスメッセージの両方の少なくとも部分的な同時送信に帰着し得る。
【０１６７】
[00184]図９Ｂは、図１および図２Ｂのワイヤレス通信システム内で用いられ得るワイヤレス通信装置の機能ブロックである。ワイヤレス通信装置が図９Ｂにおいて示される簡略化されたワイヤレス通信装置９５０よりも多くの構成要素を有し得ることを当業者は諒解されよう。図示されたワイヤレス通信装置９５０は、特許請求の範囲内の実装のいくつかの顕著な特徴について説明するために有用なそれらの構成要素のみを含む。ワイヤレス通信装置９５０は、ＢＳＳ比較回路９５２、選択プリアンブル検出器９５４、繰り延べ回路９５６、およびエンハンスト再利用送信回路９５８を含み得る。
【０１６８】
[00185]いくつかの態様では、ＢＳＳ比較回路９５２、選択プリアンブル検出器９５４、繰り延べ回路９５６、および／またはエンハンスト再利用送信回路９５８のうちの１つまたは複数は、以上で議論されるＡＰ  ＨＥＷＣ１５４またはＳＴＡ  ＨＥＷＣ１５６のうちの１つまたは複数内で実装され得る。
【０１６９】
[00186]いくつかの実装では、ＢＳＳ比較回路９５２は、ブロック９１０および／または９１５に関して以上で議論される機能のうちの１つまたは複数を実行するように構成され得る。ＢＳＳ比較回路９５２は、プログラマブルチップ、プロセッサ、メモリ、およびネットワークインターフェースのうちの１つまたは複数を含み得る。例えば、ＢＳＳ比較回路９５２は、プロセッサ４０４を含み得る。いくつかの実装では、ＢＳＳを決定するための手段および／または２つのＢＳＳが等しいかどうかを決定するための手段は、ＢＳＳ比較回路９５２を含み得る。
【０１７０】
[00187]いくつかの実装では、選択プリアンブル検出器９５４は、ブロック９０５および／またはブロック９２０に関して以上で議論される１つまたは複数の機能を実行するように構成され得る。選択プリアンブル検出器９５４は、プログラマブルチップ、プロセッサ、メモリ、およびネットワークインターフェースのうちの１つまたは複数を含み得る。例えば、選択プリアンブル検出器９５４は、プロセッサ４０４を含み得る。いくつかの実装では、プリアンブル検出しきい値に基づいて第１のワイヤレスメッセージを受信するための手段、およびメッセージがしきい値より上のエネルギーで受信されたかどうかを決定するための手段は、選択プリアンブル検出回路９５４を含み得る。
【０１７１】
[00188]いくつかの実装では、繰り延べ回路９５６は、ブロック９３０に関して以上で議論される１つまたは複数の機能を実行するように構成され得る。繰り延べ回路９５６は、プログラマブルチップ、プロセッサ、メモリ、およびネットワークインターフェースの１つまたは複数を含み得る。例えば、繰り延べ回路９５６は、プロセッサ４０４、および／または送信機４１０を含み得る。いくつかの実装では、受信メッセージに従うための手段および受信メッセージに基づいて送信するための手段は、繰り延べ回路９５６を含み得る。
【０１７２】
[00189]いくつかの実装では、エンハンスト再利用送信回路９５８は、ブロック９２５に関して以上で議論される機能のうちの１つまたは複数を実行するように構成され得る。エンハンスト再利用送信回路９５８は、プログラマブルチップ、プロセッサ、メモリ、およびネットワークインターフェースのうちの１つまたは複数を含み得る。例えば、エンハンスト再利用送信回路９５８は、プロセッサ４０４および／または送信機４１０を含み得る。いくつかの実装では、メッセージを送信するための手段、および／または繰り延べ決定に基づいてメッセージを送信するための手段は、エンハンスト再利用送信回路９５８を含み得る。
【０１７３】
[00190]本明細書で使用される「決定する」という用語は、幅広い様々なアクションを包含する。たとえば、「決定する」は、計算する、演算する、処理する、導出する、調査する、参照する（たとえば表、データベース、または別のデータ構造を参照する）、および確認するなどを含み得る。また、「決定すること」は、受信すること（たとえば、情報を受信すること）、アクセスすること（たとえば、メモリ中のデータにアクセスすること）などを含み得る。また、「決定すること」は、解決すること、選択すること、選定すること、確立することなどを含み得る。さらに、本明細書で使用する「チャネル幅」は、いくつかの態様では帯域幅を包含する場合があるか、または帯域幅と呼ばれる場合もある。
【０１７４】
[00191]本明細書で使用する、項目のリスト「のうちの少なくとも１つ」を指すフレーズは、単一のメンバを含む、それらの項目の任意の組合せを指す。一例として、「ａ、ｂまたはｃのうちの少なくとも１つ」には、ａ、ｂ、ｃ、ａ−ｂ、ａ−ｃ、ｂ−ｃおよびａ−ｂ−ｃを網羅することが意図されている。
【０１７５】
[00192]上記で説明した方法の様々な動作は、様々なハードウェア構成要素および／もしくはソフトウェア構成要素、回路、ならびに／またはモジュールなどの、その動作を実行することが可能な任意の適切な手段によって実行され得る。一般に、図に示す任意の動作は、その動作を実行することが可能な対応する機能的手段によって実行され得る。
【０１７６】
[00193]本開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ信号（ＦＰＧＡ）もしくは他のプログラマブル論理デバイス（ＰＬＤ）、個別ゲートもしくはトランジスタ論理、個別ハードウェア構成要素、または本明細書で説明される機能を実行するように設計されたそれらの任意の組合せを用いて実装または実行され得る。汎用プロセッサはマイクロプロセッサであり得るが、代替として、プロセッサは、任意の市販のプロセッサ、コントローラ、マイクロコントローラ、または状態機械であり得る。また、プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１７７】
[00194]１つまたは複数の態様では、説明された機能は、ハードウェア、ソフトウェア、ファームウェア、またはそれらの任意の組合せで実装され得る。ソフトウェアで実装される場合、機能は、１つまたは複数の命令またはコードとして、コンピュータ可読媒体上に記憶され得るか、またはコンピュータ可読媒体を介して送信され得る。コンピュータ可読媒体は、ある場所から別の場所へのコンピュータプログラムの転送を容易にするどのような媒体をも含む、コンピュータ記憶媒体と通信媒体との両方を含む。記憶媒体は、コンピュータによってアクセスされ得る任意の入手可能な媒体であり得る。限定ではなく例として、そのようなコンピュータ可読媒体は、ＲＡＭ、ＲＯＭ、ＥＥＰＲＯＭ（登録商標）、ＣＤ−ＲＯＭもしくは他の光ディスク記憶装置、磁気ディスク記憶装置もしくは他の磁気記憶デバイスを備えてよく、または、所望のプログラムコードを命令またはデータ構造の形で搬送または記憶するのに使用できコンピュータによってアクセスできる任意の他の媒体を備えてよい。また、任意の接続は、適切にコンピュータ可読媒体と称される。たとえば、ソフトウェアが、ウェブサイト、サーバ、または他のリモートソースから同軸ケーブル、光ファイバケーブル、ツイストペア、デジタル加入者回線（ＤＳＬ）、または赤外線、無線、およびマイクロ波などのワイヤレス技術を使用して送信される場合に、同軸ケーブル、光ファイバケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザで光学的に再生する。したがって、いくつかの態様では、コンピュータ可読媒体は、非一時的コンピュータ可読媒体（たとえば、有形媒体）を備え得る。加えて、いくつかの態様では、コンピュータ可読媒体は、一時的コンピュータ可読媒体（たとえば、信号）を備え得る。上記のものの組合せもまた、コンピュータ可読媒体の範囲内に含まれるべきである。
【０１７８】
[00195]したがって、いくつかの態様は、本明細書に提示された動作を実行するためのコンピュータプログラム製品を備え得る。たとえば、そのようなコンピュータプログラム製品は、本明細書で説明される動作を実行するために１つまたは複数のプロセッサによって実行可能である命令を記憶した（および／または符号化した）コンピュータ可読媒体を備え得る。いくつかの態様では、コンピュータプログラム製品はパッケージング材料を含み得る。
【０１７９】
[00196]本明細書において開示されている方法は、説明されている方法を達成するための１つまたは複数のステップまたはアクションを備えている。方法ステップおよび／またはアクションは、特許請求の範囲を逸脱することなく互いに交換され得る。言い換えれば、ステップまたはアクションの特定の順序が明記されていない限り、その順序および／または特定のステップおよび／またはアクションの使用は、特許請求の範囲を逸脱することなく修正され得る。
【０１８０】
[00197]ソフトウェアまたは命令は、送信媒体上でも送信され得る。たとえば、ウェブサイト、サーバ、または他の遠隔ソースから、同軸ケーブル、光ファイバケーブル、ツイストペア、デジタル加入者回線（ＤＳＬ）、または赤外線、無線、およびマイクロ波などのワイヤレス技術を使用してソフトウェアが送信される場合には、上記の同軸ケーブル、光ファイバケーブル、ツイストペア、ＤＳＬ、または赤外線、無線、およびマイクロ波などのワイヤレス技術は、送信媒体の定義に含まれる。
【０１８１】
[00198]さらに、本明細書で説明される方法および技法を実行するためのモジュールおよび／または他の適切な手段は、適用可能な場合、ユーザ端末および／もしくは基地局によってダウンロードされ得るならびに／または他の方法で取得され得ることを諒解されるべきである。たとえば、本明細書で説明される方法を実行するための手段の転送を容易にするために、そのようなデバイスはサーバに結合され得る。代替的に、本明細書で説明される様々な方法は、ユーザ端末および／または基地局が記憶手段をデバイスに結合するかまたは提供すると様々な方法を取得することができるように、記憶手段（たとえば、ＲＡＭ、ＲＯＭ、コンパクトディスク（ＣＤ）またはフロッピーディスクなどの物理記憶媒体など）を介して提供され得る。その上、本明細書で説明される方法と技法とをデバイスに提供するための任意の他の適切な技法が利用され得る。
【０１８２】
[00199]請求項は、上で説明された厳密な構成および構成要素に限定されないことを諒解されたい。上記で説明した方法および装置の配置、動作および詳細には、特許請求の範囲を逸脱することなく、様々な修正、変更および変形が行われ得る。
【０１８３】
[00200]前述は本開示の態様を対象とするが、本開示の他の態様およびさらなる態様は、その基本的範囲から逸脱することなく考案され得、その範囲は以下の特許請求の範囲によって決定される。
以下に、本願出願の当初の特許請求の範囲に記載された発明を付記する。
［Ｃ１］
キャリアセンス多元接続（ＣＳＭＡ）を利用する媒体上でワイヤレスメッセージを送信する方法であって、
第１のワイヤレスデバイスを介して、第２のワイヤレスデバイスによって送信された第１のワイヤレスメッセージの少なくとも一部を受信すること、ここにおいて、前記第１のワイヤレスメッセージの前記少なくとも一部は、１つまたは複数のインジケーションを備え、前記インジケーションは、前記第１のワイヤレスメッセージのための宛先デバイスのタイプ、前記第２のワイヤレスデバイスの基本サービスセット（ＢＳＳ）、受信デバイスが前記第１のワイヤレスメッセージの送信の間に送信を延期することを前記第２のワイヤレスデバイスが要求するかどうか、および前記第１のワイヤレスメッセージの波形の属性のうちの１つまたは複数を備える、と、
前記インジケーションのうちの１つまたは複数に、少なくとも部分的に、基づいて第３のワイヤレスデバイスに行くことになる第２のワイヤレスメッセージの送信を延期するかどうかを決定することと、
前記決定に基づいて前記第３のワイヤレスデバイスに前記第２のワイヤレスメッセージを送信することと
を備える、方法。
［Ｃ２］
前記第２のワイヤレスデバイスの前記基本サービスセットが前記第１のワイヤレスデバイスの前記基本サービスセットと異なると決定するために、前記一部を復号することと、
前記違いに基づいて前記第１のワイヤレスメッセージの受信と少なくとも部分的に同時に前記第２のワイヤレスメッセージを送信することと
をさらに備える、Ｃ１に記載の方法。
［Ｃ３］
アクセスポイントからまたは制御器から送信繰り延べルールを受信することと、前記繰り延べルールに基づいて前記第２のワイヤレスメッセージの送信を延期するかどうかを決定することと
をさらに備える、Ｃ１に記載の方法。
［Ｃ４］
前記第１のワイヤレスデバイスのタイプに基づいて前記第２のワイヤレスメッセージの送信を延期するかどうかを決定することをさらに備える、
Ｃ１に記載の方法。
［Ｃ５］
前記宛先デバイスが前記第１のワイヤレスメッセージのための前記宛先デバイスのタイプの前記インジケーションに基づいてアクセスポイントか局かのいずれかであると決定することと
前記宛先デバイスがアクセスポイントまたは局かどうかに基づいて前記第２のワイヤレスメッセージの送信を延期するかどうかを決定することと
をさらに備えるＣ１に記載の方法。
［Ｃ６］
前記第１のワイヤレスメッセージの前記一部は、前記第１のワイヤレスメッセージの送信電力のインジケーションをさらに備え、延期するかどうかを前記決定することは、前記送信電力インジケーションにさらに基づく、
Ｃ１に記載の方法。
［Ｃ７］
前記第２のワイヤレスメッセージの送信を延期するかどうかを前記決定することは、前記第１のワイヤレスメッセージのための前記宛先デバイスの前記タイプ、前記第１のワイヤレスデバイスのタイプ、および前記第２のワイヤレスデバイスの前記基本サービスセット（ＢＳＳ）および前記第１のワイヤレスデバイスの前記基本サービスセット（ＢＳＳ）が等しいかどうかに少なくとも部分的に基づく、
Ｃ１に記載の方法。
［Ｃ８］
前記第１のワイヤレスデバイスがアクセスポイントであり、前記第１のワイヤレスメッセージのための前記宛先デバイスが局であり、前記基本サービスセットが異なる場合、前記第２のワイヤレスメッセージの送信は、延期されない
Ｃ７に記載の方法。
［Ｃ９］
前記第１のワイヤレスデバイスがアクセスポイントであり、前記第１のワイヤレスメッセージのための宛先デバイスがアクセスポイントであり、前記基本サービスセットが異なる場合、前記第２のワイヤレスメッセージの送信は、延期されない
Ｃ７に記載の方法。
［Ｃ１０］
前記決定することは、前記第１のワイヤレスデバイスと前記第３のワイヤレスデバイスとの距離にさらに基づく、
Ｃ１に記載の方法。
［Ｃ１１］
前記決定することは、前記第２のワイヤレスデバイスの前記基本サービスセット（ＢＳＳ）および前記第１のワイヤレスデバイスの前記基本サービスセット（ＢＳＳ）が、異なるかどうか、および繰り延べ要求が前記第１のワイヤレスメッセージによって示されるかどうかに基づく、
Ｃ１に記載の方法。
［Ｃ１２］
前記決定することは、前記第１のワイヤレスデバイスがアクセスポイントまたは局であるかどうか、且つ前記第３のワイヤレスデバイスがアクセスポイントまたは局かどうかにさらに基づく、
Ｃ１１に記載の方法。
［Ｃ１３］
前記基本サービスセットが異なり、前記第１のワイヤレスデバイスがアクセスポイントであり、前記第１のワイヤレスデバイスと前記第３のワイヤレスデバイスとの距離が距離しきい値未満である場合、前記第１のワイヤレスメッセージ中に要求されている繰り延べに関わらず送信を延期しないと決定することをさらに備える、
Ｃ１２に記載の方法。
［Ｃ１４］
前記基本サービスセットが異なり、前記第１のワイヤレスデバイスと前記宛先デバイスの両方がアクセスポイントである場合、前記第１のワイヤレスメッセージ中に要求されている繰り延べに関わらず前記第２のワイヤレスメッセージの送信を延期しないと決定することをさらに備える、
Ｃ１２に記載の方法。
［Ｃ１５］
前記第１のワイヤレスメッセージの受信信号強度に、少なくとも部分的に、基づいて前記第２のワイヤレスメッセージの送信を延期するかどうかを決定することをさらに備える、
Ｃ１に記載の方法。
［Ｃ１６］
前記第２のワイヤレスデバイスの前記基本サービスセットが前記第１のワイヤレスデバイスの前記基本サービスセットと異なり、前記第１のワイヤレスメッセージの前記受信信号強度がエネルギーしきい値未満である場合、前記第２のワイヤレスメッセージの送信を延期しないと決定することをさらに備える、
Ｃ１５に記載の方法。
［Ｃ１７］
前記第２のワイヤレスメッセージの送信を延期しないと前記決定することは、前記第１および第２のワイヤレスデバイスがアクセスポイントであることにさらに基づく、
Ｃ１６に記載の方法。
［Ｃ１８］
前記第１のワイヤレスメッセージの受信信号強度および前記送信電力に基づいて前記第２のワイヤレスメッセージの送信を延期するかどうかを決定することをさらに備える、
Ｃ６に記載の方法。
［Ｃ１９］
前記第１のワイヤレスメッセージの前記送信電力および前記第１のワイヤレスメッセージの受信信号強度に基づいて前記第１のワイヤレスメッセージのパスロスを決定することと、
前記第２のワイヤレスデバイスの前記基本サービスセットが前記第１のワイヤレスデバイスの前記基本サービスセットと異なり、前記パスロスがしきい値より上である場合、前記第２のワイヤレスメッセージの送信を延期すると決定することと
をさらに備える、Ｃ６に記載の方法。
［Ｃ２０］
キャリアセンス多元接続（ＣＳＭＡ）を利用する媒体上でワイヤレスメッセージを送信するための装置であって、第１のワイヤレスデバイスからの第１のワイヤレスメッセージの少なくとも一部を受信するように構成された受信機、ここにおいて、前記第１のワイヤレスメッセージは、１つまたは複数のインジケーションを備え、前記インジケーションは、前記第１のワイヤレスメッセージのための宛先デバイスのタイプ、前記第１のワイヤレスデバイスの基本サービスセット（ＢＳＳ）、受信デバイスが前記第１のワイヤレスメッセージの送信の間に送信を延期することを前記第１のワイヤレスデバイスが要求するかどうか、および前記第１のワイヤレスメッセージの波形の属性のうちの１つまたは複数を備える、と、
前記インジケーションのうちの１つまたは複数に、少なくとも部分的に、基づいて第２のワイヤレスデバイスへの前記第２のワイヤレスメッセージの送信を延期するかどうかを決定するように構成されたプロセッサと、
前記決定に基づいて前記第２のワイヤレスデバイスに前記第２のワイヤレスメッセージを送信するように構成された送信機と
を備える、装置。
［Ｃ２１］
前記プロセッサは、前記第１のワイヤレスデバイスの前記基本サービスセットと前記装置の前記基本サービスセットと異なる場合、前記第２のメッセージの送信を延期しないと決定するように構成される、
Ｃ２０に記載の装置。
［Ｃ２２］
前記プロセッサは、前記第１のワイヤレスメッセージの宛先の前記タイプが前記第１のワイヤレスメッセージ中の前記第１のワイヤレスメッセージの宛先の前記タイプの前記インジケーションに基づいてアクセスポイントまたは局かどうかを決定するように構成される、
Ｃ２０に記載の装置。
［Ｃ２３］
前記プロセッサは、少なくともアクセスポイントまたは制御機から受信した送信繰り延べルールに基づいて延期するかどうか決定するようにさらに構成される、
Ｃ２０に記載の装置。
［Ｃ２４］
前記プロセッサは、前記装置のタイプに基づいて延期するかどうか決定するようにさらに構成される、
Ｃ２０に記載の装置。
［Ｃ２５］
前記第１のワイヤレスメッセージの前記宛先デバイスの前記タイプの前記インジケーションは、前記宛先デバイスがアクセスポイントまたは局かどうかを示す
Ｃ２０に記載の装置。
［Ｃ２６］
前記第１のワイヤレスメッセージは、前記第１のワイヤレスメッセージの送信電力のインジケータをさらに備え、前記プロセッサは、前記示された送信電力に基づいて延期するかどうかを決定するようにさらに構成される、
Ｃ２０に記載の装置。
［Ｃ２７］
前記プロセッサは、前記第１のワイヤレスメッセージのための宛先デバイスの前記タイプ、前記装置の前記タイプ、および前記第１のワイヤレスデバイスの前記基本サービスセット（ＢＳＳ）および前記装置の前記基本サービスセット（ＢＳＳ）が等しいかどうかに、少なくとも部分的に、基づいて前記第２のワイヤレスメッセージの送信を延期するかどうか決定するように構成される、
Ｃ２０に記載の装置。
［Ｃ２８］
前記プロセッサは、前記装置がアクセスポイントであり、前記第１のワイヤレスメッセージのための前記宛先デバイスが局であり、前記基本サービスセットが異なる場合、前記第２のワイヤレスメッセージの送信を延期しないと決定するようにさらに構成される、
Ｃ２７に記載の装置。
［Ｃ２９］
前記プロセッサは、前記装置がアクセスポイントであり、前記第１のワイヤレスメッセージのための前記宛先デバイスがアクセスポイントであり、前記基本サービスセットが異なる場合、前記第２のワイヤレスメッセージの送信を延期しないと決定するようにさらに構成される、
Ｃ２７に記載の装置。
［Ｃ３０］
前記プロセッサは、前記装置と前記第２のワイヤレスデバイスとの距離に基づいて延期するかどうかを決定するようにさらに構成される、
Ｃ２７に記載の装置。
［Ｃ３１］
前記プロセッサは、前記第１のワイヤレスデバイス基本サービスセット（ＢＳＳ）および前記装置の前記基本サービスセット（ＢＳＳ）が異なり、受信デバイスが前記第１のワイヤレスメッセージの送信の間に送信を延期することを前記第１のワイヤレスデバイスが要求したかどうかを前記第１のワイヤレスメッセージが示すかどうかを決定するように構成される、
Ｃ２０に記載の装置。
［Ｃ３２］
前記プロセッサは、前記装置がアクセスポイントまたは局かどうか、且つ前記第２のワイヤレスデバイスがアクセスポイントまたは局かどうかに基づいて延期するかどうかを決定するように構成される、
Ｃ３１に記載の装置。
［Ｃ３３］
前記プロセッサは、前記基本サービスセットが異なり、前記装置がアクセスポイントであり、前記装置と前記第１のワイヤレスデバイスとの距離が距離しきい値未満である場合、前記第１のワイヤレスメッセージ中に要求されている繰り延べに関わらず前記第２のワイヤレスメッセージの送信を延期しないと決定することをさらに備える、
Ｃ３２に記載の装置。
［Ｃ３４］
前記プロセッサは、前記基本サービスセットが異なり、前記装置と前記宛先デバイスの両方がアクセスポイントである場合、前記第１のワイヤレスメッセージ中に要求されている繰り延べに関わらず前記第２のワイヤレスメッセージの送信を延期しないと決定するように構成される、
Ｃ３２に記載の装置。
［Ｃ３５］
前記プロセッサは、前記第１のワイヤレスメッセージの受信信号強度に、少なくとも部分的に、基づいて前記第２のワイヤレスメッセージの送信を延期するかどうかを決定するようにさらに構成される、
Ｃ２０に記載の装置。
［Ｃ３６］
前記プロセッサは、前記第２のワイヤレスデバイスの前記基本サービスセットが前記第１のワイヤレスデバイスの前記基本サービスセットと異なり、前記第１のワイヤレスメッセージの前記受信信号強度がエネルギーしきい値未満である場合、前記第２のワイヤレスメッセージの送信を延期しないと決定するようにさらに構成される、
Ｃ３５に記載の装置。
［Ｃ３７］
前記プロセッサは、前記第１および第２ワイヤレスデバイスがアクセスポイントである場合、前記第２のワイヤレスメッセージの送信を延期しないことを決定するようにさらに構成される、
Ｃ３５に記載の装置。
［Ｃ３８］
前記プロセッサは、前記第１のワイヤレスメッセージの受信信号強度および前記送信電力に基づいて前記第２のワイヤレスメッセージの送信を延期するかどうかを決定するようにさらに構成される、
Ｃ２６に記載の装置。
［Ｃ３９］
前記プロセッサは、前記第１のワイヤレスメッセージの前記送信電力および前記第１のワイヤレスメッセージの受信信号強度に基づいて前記第１のワイヤレスメッセージのパスロスを決定することと
前記第２のワイヤレスデバイスの前記基本サービスセットが前記第１のワイヤレスデバイスの前記基本サービスセットと異なり、前記パスロスがしきい値未満である場合、前記第２のワイヤレスメッセージの送信を延期すると決定することと
を行うようにさらに構成される、Ｃ２６に記載の装置。
［Ｃ４０］
密集したワイヤレスネットワーク内でメッセージを送信する方法であって、前記ワイヤレスネットワークは、キャリアセンス媒体アクセスを利用し、前記方法は、
第１のワイヤレスデバイスを介して、第１のワイヤレスメッセージを生成すること、前記メッセージは、１つまたは複数のインジケーションを備え、前記インジケーションは、前記第１のワイヤレスメッセージの宛先デバイスのタイプ、および前記第１のワイヤレスメッセージを受信するデバイスが前記第１のワイヤレスメッセージの送信の間に前記第１のワイヤレスメッセージを受信するデバイスがそれら自身の送信延期することを前記第１のワイヤレスデバイスが要求するかどうかのうちの１つまたは複数を備える、と、
前記第１のワイヤレスメッセージを送信することと
を備える、方法。
［Ｃ４１］
前記宛先デバイスの前記タイプは、前記宛先デバイスが局、またはアクセスポイントかどうかを示す、
Ｃ４０に記載の方法。
［Ｃ４２］
密集したワイヤレスネットワーク内のメッセージを送信するための装置であって、前記ワイヤレスネットワークは、キャリアセンス媒体アクセスを利用し、前記装置は、
第１のワイヤレスメッセージを生成するように構成されたプロセッサ、前記メッセージは、１つまたは複数のインジケーションを備え、前記インジケーションは、前記第１のワイヤレスメッセージの宛先のタイプ、および前記第１のワイヤレスメッセージを受信しているデバイスが前記第１のワイヤレスメッセージの送信の間にそれら自身の送信を延期する要求を前記装置が要求するかどうか、のうちの１つまたは複数を備える、と、
前記第１のワイヤレスメッセージを送信するように構成される送信機と
を備える、装置。
［Ｃ４３］
前記宛先デバイスの前記タイプは、前記宛先デバイスが局またはアクセスポイントであるかどうかを示す、
Ｃ４２に記載の装置。
【図１】
0006363176.tif 000004
【図２Ａ】
0006363176.tif 000005
【図２Ｂ】
0006363176.tif 000006
【図３】
0006363176.tif 000007
【図４】
0006363176.tif 000008
【図５Ａ】
0006363176.tif 000009
【図５Ｂ】
0006363176.tif 000010
【図５Ｃ】
0006363176.tif 000011
【図５Ｄ】
0006363176.tif 000012
【図５Ｅ】
0006363176.tif 000013
【図６Ａ】
0006363176.tif 000014
【図６Ｂ】
0006363176.tif 000015
【図６Ｃ】
0006363176.tif 000016
【図７Ａ】
0006363176.tif 000017
【図７Ｂ】
0006363176.tif 000018
【図８Ａ】
0006363176.tif 000019
【図８Ｂ】
0006363176.tif 000020
【図９Ａ】
0006363176.tif 000021
【図９Ｂ】
0006363176.tif 000022